(57)【要約】【課題】電源効率を有効に改善することができるスイッチング電源装置を提供する。【解決手段】絶縁トランスのセンタータップが出力インダクタを介して第１出力端子（ＴＯＵＴ１）に接続され、絶縁トランスの二次巻線の一端及び他端に第１及び第２整流用ダイオード（Ｄ１，Ｄ２）のカソードが接続され、第１及び第２整流用ダイオードのアノードが第２出力端子（ＴＯＵＴ２）に接続されてなるスイッチング電源装置において、第１又は第２整流用ダイオードのカソードに一方の電極が接続されたコンデンサ（ＣＳ１１，ＣＳ２１）と、前記コンデンサの他方の電極と第１出力端子との間に接続されたダイオード（ＤＳ１３，ＤＳ２３）と、前記コンデンサの他方の電極と第２端子との間に接続されたダイオード（ＤＳ１２，ＤＳ２２）及びインダクタ（ＬＳ１２，ＬＳ２２）を備える。【選択図】図１
2008043092.tif 000002
【特許請求の範囲】
【請求項１】
二次側にセンタータップが設けられた絶縁トランスを備え、前記センタータップが出力インダクタを介して第１端子に接続され、前記絶縁トランスの二次巻線の一端及び他端に第１及び第２整流素子の各出力端子がそれぞれ接続され、これら第１及び第２整流素子の入力端子が第２端子に共通接続されてなるスイッチング電源装置において、
前記第１または第２整流素子の出力端子に一方の電極が接続されたコンデンサと、
前記コンデンサの他方の電極と前記第１端子との間に接続され、前記コンデンサの充電経路をなす第１整流回路と、
前記コンデンサの他方の電極と前記第２端子との間に接続され、前記コンデンサの放電経路をなす第２整流回路と、
を備えたことを特徴とするスイッチング電源装置。
【請求項２】
二次側にセンタータップが設けられた絶縁トランスを備え、前記絶縁トランスの二次巻線の一端及び他端に第１及び第２整流素子の各出力端子がそれぞれ接続され、これら第１及び第２整流素子の入力端子が第２端子に共通接続されてなるスイッチング電源装置において、
前記第１または第２整流素子の出力端子に一方の電極が接続されたコンデンサと、
前記コンデンサの他方の電極と前記第２端子との間に接続され、前記コンデンサの充電経路をなす第１整流回路と、
前記コンデンサの他方の電極と前記第２端子との間に接続され、前記コンデンサの放電経路をなす第２整流回路と、
を備えたことを特徴とするスイッチング電源装置。
【請求項３】
二次側にセンタータップが設けられた絶縁トランスを備え、前記絶縁トランスの二次巻線の一端及び他端に第１及び第２整流素子の各出力端子がそれぞれ接続され、これら第１及び第２整流素子の入力端子が第２端子に共通接続されてなるスイッチング電源装置において、
前記第１または第２整流素子の出力端子に一方の電極が接続されたコンデンサと、
前記コンデンサの他方の電極と前記センタータップとの間に接続され、前記コンデンサの充電経路をなす第１整流回路と、
前記コンデンサの他方の電極と前記第２端子との間に接続され、前記コンデンサの放電経路をなす第２整流回路と、
を備えたことを特徴とするスイッチング電源装置。
【請求項４】
二次側にセンタータップが設けられた絶縁トランスを備え、前記絶縁トランスの二次巻線の一端及び他端に第１及び第２整流素子の各入力端子がそれぞれ接続され、これら第１及び第２整流素子の出力端子が出力インダクタを介して第１端子に共通接続され、前記センタータップが第２端子に接続されてなるスイッチング電源装置において、
前記第１または第２整流素子の出力端子に一方の電極が接続されたコンデンサと、
前記コンデンサの他方の電極と前記第１端子との間に接続され、前記コンデンサの充電経路をなす第１整流回路と、
前記コンデンサの他方の電極と前記第２端子との間に接続され、前記コンデンサの放電経路をなす第２整流回路と、
を備えたことを特徴とするスイッチング電源装置。
【請求項５】
二次側にセンタータップが設けられた絶縁トランスを備え、前記絶縁トランスの二次巻線の一端及び他端に第１及び第２整流素子の各入力端子がそれぞれ接続されてなるスイッチング電源装置において、
前記第１または第２整流素子の出力端子に一方の電極が接続されたコンデンサと、
前記コンデンサの他方の電極と前記第１または第２整流素子の入力端子との間に接続され、前記コンデンサの充電経路をなす第１整流回路と、
前記コンデンサの他方の電極と前記第１または第２整流素子の入力端子との間に接続され、前記コンデンサの放電経路をなす第２整流回路と、
を備えたことを特徴とするスイッチング電源装置。
【請求項６】
二次側にセンタータップが設けられた絶縁トランスを備え、前記絶縁トランスの二次巻線の一端及び他端に第１及び第２整流素子の各入力端子がそれぞれ接続されてなるスイッチング電源装置において、
前記第１または第２整流素子の入力端子に一方の電極が接続されたコンデンサと、
前記コンデンサの他方の電極と前記センタータップとの間に接続され、前記コンデンサの充電経路をなす第１整流回路と、
前記コンデンサの他方の電極と前記第１または第２整流素子の出力端子との間に接続され、前記コンデンサの放電経路をなす第２整流回路と、
を備えたことを特徴とするスイッチング電源装置。
【請求項７】
絶縁トランスの二次巻線の一端及び他端が全波整流回路の第１及び第２入力部にそれぞれ接続されてなるスイッチング電源装置において、
前記全波整流回路の第１入力部に一方の電極が接続されたコンデンサと、
前記コンデンサの他方の電極と前記全波整流回路の第２入力部との間に接続され、前記コンデンサの充電経路をなす第１整流回路と、
前記コンデンサの他方の電極と前記全波整流回路の第２入力部との間に接続され、前記コンデンサの放電経路をなす第２整流回路と、
を備えたことを特徴とするスイッチング電源装置。
【請求項８】
絶縁トランスの二次巻線の一端及び他端が全波整流回路の第１及び第２入力部にそれぞれ接続され、前記全波整流回路の第１出力部が出力インダクタを介して第１端子に接続され、前記全波整流回路の第２出力部が第２端子に接続されてなるスイッチング電源装置において、
前記全波整流回路の第１出力部に一方の電極が接続されたコンデンサと、
前記コンデンサの他方の電極と前記第１端子との間に接続され、前記コンデンサの充電経路をなす第１整流回路と、
前記コンデンサの他方の電極と前記第２端子との間に接続され、前記コンデンサの放電経路をなす第２整流回路と、
を備えたことを特徴とするスイッチング電源装置。
【請求項９】
絶縁トランスの二次巻線の一端及び他端が全波整流回路の第１及び第２入力部にそれぞれ接続され、前記全波整流回路の第１出力部が出力インダクタを介して第１端子に接続されてなるスイッチング電源装置において、
前記全波整流回路の第１出力部に一方の電極が接続されたコンデンサと、
前記コンデンサの他方の電極と前記第１端子との間に接続され、前記コンデンサの充電経路をなす第１整流回路と、
前記コンデンサの他方の電極と前記全波整流回路の第１または第２入力端子との間に接続され、前記コンデンサの放電経路をなす第２整流回路と、
を備えたことを特徴とするスイッチング電源装置。
【請求項１０】
絶縁トランスの二次巻線の一端及び他端が全波整流回路の第１及び第２入力部にそれぞれ接続され、前記全波整流回路の第１出力部が出力インダクタを介して第１端子に接続され、前記全波整流回路の第２出力部が第２端子に接続されてなるスイッチング電源装置において、
前記全波整流回路の第１または第２入力部に一方の電極が接続されたコンデンサと、
前記コンデンサの他方の電極と前記第１端子との間に接続され、前記コンデンサの充電経路をなす第１整流回路と、
前記コンデンサの他方の電極と前記第２端子との間に接続され、前記コンデンサの放電経路をなす第２整流回路と、
を備えたことを特徴とするスイッチング電源装置。
【請求項１１】
絶縁トランスの二次巻線の一端及び他端が全波整流回路の第１及び第２入力部にそれぞれ接続されてなるスイッチング電源装置において、
前記全波整流回路の第１及び第２入力部の一方に一方の電極が接続されたコンデンサと、
前記コンデンサの他方の電極と前記第１端子との間に接続され、前記コンデンサの充電経路をなす第１整流回路と、
前記コンデンサの他方の電極と前記第１及び第２入力部の他方との間に接続され、前記コンデンサの放電経路をなす第２整流回路と、
を備えたことを特徴とするスイッチング電源装置。
【発明の詳細な説明】
【技術分野】
【０００１】
本発明は、スイッチング電源装置に関し、特にスイッチング電源装置が備えるトランスの２次側に設けられた整流用のダイオードで発生するサージを吸収するための技術に関するものである。
【背景技術】
【０００２】
図１５に従来のスイッチング電源装置の構成を示す。同図に示すスイッチング電源装置は、入力コンデンサＣｉｎ、スイッチＳ１〜Ｓ４、絶縁トランスＴ、整流用ダイオードＤＡ、ＤＢ、出力インダクタＬｏｕｔ、出力コンデンサＣｏｕｔ、スイッチング制御回路ＳＣを備えて構成される。このスイッチング電源装置によれば、直流入力電圧Ｖｉｎが、スイッチＳ１〜Ｓ４からなるフルブリッジ回路のスイッチング動作により交流電圧に変換されて絶縁トランスＴの１次巻線Ｌ１に供給され、この絶縁トランスＴの２次巻線Ｌ２１，Ｌ２２には、その巻線比に応じた所望の交流電圧が誘起される。この交流電圧は、整流用ダイオードＤＡ、ＤＢにより整流された後、出力インダクタＬｏｕｔ及び出力コンデンサＣｏｕｔにより平滑されて直流出力電圧Ｖｏｕｔとなり、この直流出力電圧Ｖｏｕｔが外部に出力される。
【０００３】
ところで、上述の従来技術に係るスイッチング電源装置によれば、スイッチＳ１〜Ｓ４からなるフルブリッジ回路のスイッチング動作により絶縁トランスＴの２次巻線Ｌ２１，Ｌ２２に誘起される電圧の向きが切り替わる際、この２次巻線や配線などによる寄生インダクタンスに起因して、整流用ダイオードＤＡ，Ｂのカソード側に、図１６に例示するようなサージが発生する。即ち、２次巻線Ｌ２１，Ｌ２２に誘起される電圧の向きが切り替わると、整流用ダイオードＤＡまたはＤＢが逆バイアス状態とされるが、このとき、いわゆるリカバリ期間において上記寄生インダクタンスに蓄えられたエネルギーが瞬時的に放出され、これがサージとなって整流用ダイオードＤＡまたは整流用ダイオードＤＢに印加される。
【０００４】
一般には、上述のサージは、整流用ダイオードＤＡ，ＤＢに公知のＣＲスナバ回路を併設することにより、ある程度は改善できる。しかしながら、ＣＲスナバ回路は、抵抗素子で電力消費することによりサージを吸収することを基本原理としているため、本来的に電力損失を伴い、電源効率低下の原因となる。又、ＣＲスナバ回路でサージを吸収する際に抵抗素子が発熱するため、その放熱性を考慮すると、ＣＲスナバ回路を構成する抵抗素子のサイズが大きくなる。
【０００５】
このようなＣＲスナバ回路の問題を解決する従来技術として、サージエネルギーを一旦コイルに蓄えて出力側に放出する無損失スナバ回路がある（特許文献１参照）。
【特許文献１】特開平０９−２２４３７４号公報
【発明の開示】
【発明が解決しようとする課題】
【０００６】
上述の従来技術に係る無損失スナバ回路によれば、サージを出力側に放出するまでの電流経路上に多数の素子が介在し、これらの各素子で電力損失が発生するため、電源効率の改善には限界があるという問題がある。
【０００７】
本発明は上記事情を考慮してなされたもので、その目的は、電源効率の低下を有効に抑えながら、整流用ダイオードに発生するサージを吸収することができるスイッチング電源装置を提供する事にある。
【課題を解決するための手段】
【０００８】
本発明は、二次側にセンタータップが設けられた絶縁トランスを備え、前記センタータップが出力インダクタを介して第１端子に接続され、前記絶縁トランスの二次巻線の一端及び他端に第１及び第２整流素子（例えば整流用ダイオードに対応する構成要素）の各出力端子（例えばカソードに対応する構成要素）がそれぞれ接続され、これら第１及び第２整流素子の入力端子（例えばアノードに対応する構成要素）が第２端子に共通接続されてなるスイッチング電源装置において、前記第１または第２整流素子の出力端子に一方の電極が接続されたコンデンサと、前記コンデンサの他方の電極と前記第１端子との間に接続され、前記コンデンサの充電経路をなす第１整流回路と、前記コンデンサの他方の電極と前記第２端子との間に接続され、前記コンデンサの放電経路をなす第２整流回路とを備えたことを特徴とするスイッチング電源装置の構成を有する。
【０００９】
本発明は、二次側にセンタータップが設けられた絶縁トランスを備え、前記絶縁トランスの二次巻線の一端及び他端に第１及び第２整流素子の各出力端子がそれぞれ接続され、これら第１及び第２整流素子の入力端子が第２端子に共通接続されてなるスイッチング電源装置において、前記第１または第２整流素子の出力端子に一方の電極が接続されたコンデンサと、前記コンデンサの他方の電極と前記第２端子との間に接続され、前記コンデンサの充電経路をなす第１整流回路と、前記コンデンサの他方の電極と前記第２端子との間に接続され、前記コンデンサの放電経路をなす第２整流回路とを備えたことを特徴とするスイッチング電源装置の構成を有する。
【００１０】
本発明は、二次側にセンタータップが設けられた絶縁トランスを備え、前記絶縁トランスの二次巻線の一端及び他端に第１及び第２整流素子の各出力端子がそれぞれ接続され、これら第１及び第２整流素子の入力端子が第２端子に共通接続されてなるスイッチング電源装置において、前記第１または第２整流素子の出力端子に一方の電極が接続されたコンデンサと、前記コンデンサの他方の電極と前記センタータップとの間に接続され、前記コンデンサの充電経路をなす第１整流回路と、前記コンデンサの他方の電極と前記第２端子との間に接続され、前記コンデンサの放電経路をなす第２整流回路とを備えたことを特徴とするスイッチング電源装置の構成を有する。
【００１１】
本発明は、二次側にセンタータップが設けられた絶縁トランスを備え、前記絶縁トランスの二次巻線の一端及び他端に第１及び第２整流素子の各入力端子がそれぞれ接続され、これら第１及び第２整流素子の出力端子が出力インダクタを介して第１端子に共通接続され、前記センタータップが第２端子に接続されてなるスイッチング電源装置において、前記第１または第２整流素子の出力端子に一方の電極が接続されたコンデンサと、前記コンデンサの他方の電極と前記第１端子との間に接続され、前記コンデンサの充電経路をなす第１整流回路と、前記コンデンサの他方の電極と前記第２端子との間に接続され、前記コンデンサの放電経路をなす第２整流回路とを備えたことを特徴とするスイッチング電源装置の構成を有する。
【００１２】
本発明は、二次側にセンタータップが設けられた絶縁トランスを備え、前記絶縁トランスの二次巻線の一端及び他端に第１及び第２整流素子の各入力端子がそれぞれ接続されてなるスイッチング電源装置において、前記第１または第２整流素子の出力端子に一方の電極が接続されたコンデンサと、前記コンデンサの他方の電極と前記第１または第２整流素子の入力端子との間に接続され、前記コンデンサの充電経路をなす第１整流回路と、前記コンデンサの他方の電極と前記第１または第２整流素子の入力端子との間に接続され、前記コンデンサの放電経路をなす第２整流回路とを備えたことを特徴とするスイッチング電源装置の構成を有する。
【００１３】
本発明は、二次側にセンタータップが設けられた絶縁トランスを備え、前記絶縁トランスの二次巻線の一端及び他端に第１及び第２整流素子の各入力端子がそれぞれ接続されてなるスイッチング電源装置において、前記第１または第２整流素子の入力端子に一方の電極が接続されたコンデンサと、前記コンデンサの他方の電極と前記センタータップとの間に接続され、前記コンデンサの充電経路をなす第１整流回路と、前記コンデンサの他方の電極と前記第１または第２整流素子の出力端子との間に接続され、前記コンデンサの放電経路をなす第２整流回路とを備えたことを特徴とするスイッチング電源装置の構成を有する。
【００１４】
本発明は、絶縁トランスの二次巻線の一端及び他端が全波整流回路の第１及び第２入力部にそれぞれ接続されてなるスイッチング電源装置において、前記全波整流回路の第１入力部に一方の電極が接続されたコンデンサと、前記コンデンサの他方の電極と前記全波整流回路の第２入力部との間に接続され、前記コンデンサの充電経路をなす第１整流回路と、前記コンデンサの他方の電極と前記全波整流回路の第２入力部との間に接続され、前記コンデンサの放電経路をなす第２整流回路とを備えたことを特徴とするスイッチング電源装置の構成を有する。
【００１５】
本発明は、絶縁トランスの二次巻線の一端及び他端が全波整流回路の第１及び第２入力部にそれぞれ接続され、前記全波整流回路の第１出力部が出力インダクタを介して第１端子に接続され、前記全波整流回路の第２出力部が第２端子に接続されてなるスイッチング電源装置において、前記全波整流回路の第１出力部に一方の電極が接続されたコンデンサと、前記コンデンサの他方の電極と前記第１端子との間に接続され、前記コンデンサの充電経路をなす第１整流回路と、前記コンデンサの他方の電極と前記第２端子との間に接続され、前記コンデンサの放電経路をなす第２整流回路とを備えたことを特徴とするスイッチング電源装置の構成を有する。
【００１６】
本発明は、絶縁トランスの二次巻線の一端及び他端が全波整流回路の第１及び第２入力部にそれぞれ接続され、前記全波整流回路の第１出力部が出力インダクタを介して第１端子に接続されてなるスイッチング電源装置において、前記全波整流回路の第１出力部に一方の電極が接続されたコンデンサと、前記コンデンサの他方の電極と前記第１端子との間に接続され、前記コンデンサの充電経路をなす第１整流回路と、前記コンデンサの他方の電極と前記全波整流回路の第１または第２入力端子との間に接続され、前記コンデンサの放電経路をなす第２整流回路とを備えたことを特徴とするスイッチング電源装置の構成を有する。
【００１７】
本発明は、絶縁トランスの二次巻線の一端及び他端が全波整流回路の第１及び第２入力部にそれぞれ接続され、前記全波整流回路の第１出力部が出力インダクタを介して第１端子に接続され、前記全波整流回路の第２出力部が第２端子に接続されてなるスイッチング電源装置において、前記全波整流回路の第１または第２入力部に一方の電極が接続されたコンデンサと、前記コンデンサの他方の電極と前記第１端子との間に接続され、前記コンデンサの充電経路をなす第１整流回路と、前記コンデンサの他方の電極と前記第２端子との間に接続され、前記コンデンサの放電経路をなす第２整流回路とを備えたことを特徴とするスイッチング電源装置の構成を有する。
【００１８】
本発明は、絶縁トランスの二次巻線の一端及び他端が全波整流回路の第１及び第２入力部にそれぞれ接続されてなるスイッチング電源装置において、前記全波整流回路の第１及び第２入力部の一方に一方の電極が接続されたコンデンサと、前記コンデンサの他方の電極と前記第１端子との間に接続され、前記コンデンサの充電経路をなす第１整流回路と、前記コンデンサの他方の電極と前記第１及び第２入力部の他方との間に接続され、前記コンデンサの放電経路をなす第２整流回路とを備えたことを特徴とするスイッチング電源装置の構成を有する。
【発明の効果】
【００１９】
本発明によれば、整流用のダイオードで発生したサージをコンデンサに一旦蓄積し、このコンデンサに蓄積された電力を、インダクタを介して出力側に放電するようにしたので、簡単な構成で電力損失を有効に抑えながらサージを吸収することが可能になる。
【発明を実施するための最良の形態】
【００２０】
以下、図面を参照しながら、本発明の各実施形態を説明する。
＜第１実施形態＞
まず、図１を参照して本願請求項１に係る発明に対応する第１実施形態を説明する。
図１に、本実施形態に係るスイッチング電源装置の構成を示す。
なお、同図の絶縁トランスＴ１の１次側の構成は、前述の図１５に示す従来装置における絶縁トランスＴの１次側と同様であり、図１では絶縁トランスＴ１の１次側の構成を省略している。
【００２１】
図１に示すように、本スイッチング電源装置は、センタータップＴＰが設けられた絶縁トランスＴ１を備え、その２次側（出力側）には、整流用のダイオードＤ１，Ｄ２からなる整流回路と、出力インダクタＬｏｕｔ及び出力コンデンサＣｏｕｔからなる平滑回路が接続される。即ち、絶縁トランスＴ１の２次側に設けられたセンタータップＴＰと第１出力端子ＴＯＵＴ１との間には出力インダクタＬｏｕｔが接続され、２次巻線Ｌ２１，Ｌ２２からなる絶縁トランスＴ１の２次巻線の一端及び他端には第１及び第２整流用ダイオードＤ１，Ｄ２の各カソードがそれぞれ接続され、これら整流用ダイオードＤ１，Ｄ２のアノードは第２出力端子ＴＯＵＴ２に共通接続される。出力端子ＴＯＵＴ１と出力端子ＴＯＵＴ２との間には、本スイッチング電源装置により給電される負荷Ｒが接続される。
【００２２】
また、本スイッチング電源装置は、整流用ダイオードＤ１に発生するサージを吸収するための第１スナバ回路として、コンデンサＣＳ１１、ダイオードＤＳ１２、インダクタＬＳ１２、ダイオードＤＳ１３を備えると共に、整流用ダイオードＤ２に発生するサージを吸収するための第２スナバ回路として、コンデンサＣＳ２１、ダイオードＤＳ２２、インダクタＬＳ２２、ダイオードＤＳ２３を備える。
【００２３】
ここで、上記スナバ回路の各構成を詳細に説明する。
第１スナバ回路を構成するコンデンサＣＳ１１の一方の電極は整流用ダイオードＤ１のカソードに接続される。このコンデンサＣＳ１１の他方の電極と第１出力端子ＴＯＵＴ１との間にはダイオードＤＳ１３が接続される。即ち、コンデンサＣＳ１１の他方の電極にはダイオードＤＳ１３のアノードが接続され、このダイオードＤＳ１３のカソードは第１出力端子ＴＯＵＴ１に接続される。このダイオードＤＳ１３は、コンデンサＣＳ１１の充電経路をなす整流回路として機能する
【００２４】
また、コンデンサＣＳ１１の他方の電極と第２出力端子ＴＯＵＴ２との間には、インダクタＬＳ１２及びダイオードＤＳ１２からなる直列回路が接続される。即ち、インダクタＬＳ１２の一端は、上記コンデンサＣＳ１１の他方の電極に接続され、インダクタＬＳ１２の他端はダイオードＤＳ１２のカソードに接続され、このダイオードＤＳ１２のアノードは第２出力端子ＴＯＵＴ２に接続される。これらインダクタＬＳ１２及びダイオードＤＳ１２は、コンデンサＣＳ１１の放電経路をなす整流回路として機能する。
【００２５】
一方の第２スナバ回路も同様に構成される。即ち、第２スナバ回路を構成するコンデンサＣＳ２１の一方の電極は整流用ダイオードＤ２のカソードに接続される。このコンデンサＣＳ２１の他方の電極と第１出力端子ＴＯＵＴ１との間にはダイオードＤＳ２３が接続される。即ち、コンデンサＣＳ２１の他方の電極にはダイオードＤＳ２３のアノードが接続され、このダイオードＤＳ２３のカソードは第１出力端子ＴＯＵＴ１に接続される。ダイオードＤＳ２３は、コンデンサＣＳ２１の充電経路をなす整流回路として機能する。
【００２６】
また、コンデンサＣＳ２１の他方の電極と第２出力端子ＴＯＵＴ２との間には、インダクタＬＳ２２及びダイオードＤＳ２２からなる直列回路が接続される。即ち、インダクタＬＳ２２の一端は、上記コンデンサＣＳ２１の他方の電極に接続され、インダクタＬＳ２２の他端はダイオードＤＳ２２のカソードに接続され、このダイオードＤＳ２２のアノードは第２出力端子ＴＯＵＴ２に接続される。これらインダクタＬＳ２２及びダイオードＤＳ２２は、コンデンサＣＳ２１の放電経路をなす整流回路として機能する。
【００２７】
絶縁トランスＴ１の１次側の構成については、前述の図１５に示す従来装置と同様であり、図１５を援用して、その構成を確認的に説明する。入力端子ＴＩＮ１と入力端子ＴＩＮ２との間には、入力コンデンサＣｉｎが接続されると共に、スイッチＳ１及びスイッチＳ２がこの順に直列接続され、且つ、スイッチＳ３及びスイッチＳ４がこの順に直列接続される。スイッチＳ１とスイッチＳ２との間の接続点には、図１に示すトランスＴ１の１次巻線Ｌ１の一端が接続され、スイッチＳ３とスイッチＳ４との間の接続点には、上記１次巻線Ｌ１の他端が接続される。上記スイッチＳ１，Ｓ２，Ｓ３，Ｓ４は、フルブリッジ型のスイッチング回路を構成し、各スイッチの開閉はスイッチング制御回路ＳＣにより制御される。但し、絶縁トランスＴ１の１次側のスイッチング回路の構成は、この例に限定されるものではなく、例えばハーフブリッジ型など、他の形式のスイッチング回路を採用しても良い。
【００２８】
次に、本スイッチング電源装置の動作を説明する。
まず、通常の電力変換動作を簡単に説明する。援用する図１５において、スイッチＳ１〜Ｓ４からなるスイッチング回路が所定のスイッチング動作（周知のスイッチング動作）を実施することにより、直流入力電圧Ｖｉｎが交流電圧に変換されて、図１に示すトランスＴ１の１次巻線Ｌ１に供給される。これにより絶縁トランスＴ１の２次巻線Ｌ２１，Ｌ２２に交流電圧がそれぞれ誘起される。２次巻線Ｌ２１，Ｌ２２に誘起された各交流電圧は、整流用ダイオードＤ１、Ｄ２によって整流される。整流された電圧は、出力インダクタＬｏｕｔ及び出力コンデンサＣｏｕｔによって平滑され、所望の直流出力電圧Ｖｏｕｔとなって出力端子ＴＯＵＴ１，ＴＯＵＴ２を介して外部に出力される。
【００２９】
次に、整流用ダイオードＤ２を例として、この整流用ダイオードＤ２に発生するサージの吸収動作を詳細に説明する。
初期状態において、絶縁トランスＴ１の２次巻線Ｌ２１，Ｌ２２には、整流用ダイオードＤ２が順方向にバイアスされると共に整流用ダイオードＤ１が逆方向にバイアスされる向きに電圧が誘起されているものとする。この状態では、２次巻線Ｌ２２に誘起された電圧が整流用ダイオードＤ２により整流されて第１出力端子ＴＯＵＴ１と第２出力端子ＴＯＵＴ２に出力される。
【００３０】
上記初期状態から、１次側のスイッチング動作に伴って絶縁トランスＴ１の２次巻線Ｌ２１，Ｌ２２に誘起される各電圧の向きが反転すると、整流用ダイオードＤ１が順方向にバイアスされると共に整流用ダイオードＤ２が逆方向にバイアスされた状態となるが、いわゆるリカバリ期間の間、整流用ダイオードＤ２はオン状態を維持する。このため、絶縁トランスＴ１の２次巻線Ｌ２１，Ｌ２２と整流用ダイオードＤ１，Ｄ２から構成されるループ内を過電流が流れ、そのエネルギーが２次巻線Ｌ２１，Ｌ２２や配線などによる寄生インダクタに蓄積される。
【００３１】
そして、上記リカバリ期間が経過すると、整流用ダイオードＤ２がオフ状態に移行し、これにより上記過電流のループが遮断される。この結果、上記リカバリ期間において整流用ダイオードＤ２のカソード側に存在する寄生インダクタに蓄積されたエネルギーが瞬時的に放出され、サージが整流用ダイオードＤ２のカソードに発生する。このサージによる電流は、図１に点線で示す充電経路ＣＲ１（コンデンサＣＳ２１〜ダイオードＤＳ２３〜第１出力端子ＴＯＵＴ１〜負荷Ｒ〜第２出力端子ＴＯＵＴ２〜整流用ダイオードＤ１〜２次巻線Ｌ２１，Ｌ２２〜コンデンサＣＳ２１）に沿って流れ、これによりコンデンサＣＳ２１が充電される。
【００３２】
その後、１次側のスイッチング動作に伴って、絶縁トランスＴ１の２次巻線Ｌ２１，Ｌ２２に誘起される各電圧の向きが再び反転する過程で、整流用ダイオードＤ１が逆方向にバイアスされると共に整流用ダイオードＤ２が順方向にバイアスされる。この場合、コンデンサＣＳ２１に蓄積された電荷は、図１に一点鎖線で示す放電経路ＤＲ１（コンデンサＳＣ２１〜２次巻線Ｌ２２〜出力インダクタＬｏｕｔ〜第１出力端子ＴＯＵＴ１〜負荷Ｒ〜第２出力端子ＴＯＵＴ２〜ダイオードＤＳ２２〜インダクタＬＳ２２〜コンデンサＣＳ２１）に沿って流れ、これによりコンデンサＣＳ２１が放電される。
【００３３】
このように、本実施形態によれば、整流用ダイオードＤ２のカソードに発生したサージによるエネルギーはコンデンサＣＳ２１に一旦蓄積された後、インダクタＬＳ２２を介して出力側に放電される。このときの放電電流の位相は、インダクタＬＳ２２により電圧の位相に対して遅延されるので、電圧と電流との積として表されるダイオードＤＳ２２における損失が抑制される。同様にして、一方の整流用ダイオードＤ１で発生するサージによるエネルギーは、コンデンサＣＳ１１に一旦蓄積された後、インダクタＬＳ１２を介して低損失で出力側に放電される。
【００３４】
以上により、整流用ダイオードＤ１，Ｄ２に発生したサージが有効に吸収（抑制）され、そのエネルギーが出力側に放出される。従って、電源効率を低下させることなく、サージから整流用ダイオードを保護することが可能になる。
【００３５】
＜第２実施形態＞
次に、図２を参照して、本願請求項２に係る発明に対応する第２実施形態を説明する。
本実施形態に係るスイッチング電源装置は、上述の第１実施形態に係る図１の構成におけるスナバ回路に代え、整流用ダイオードＤ１に発生するサージを吸収するための第１スナバ回路として、コンデンサＣＳ２１１、ダイオードＤＳ２１２、インダクタＬＳ２１２、ダイオードＤＳ２１３を備えると共に、整流用ダイオードＤ２に発生するサージを吸収するための第２スナバ回路として、コンデンサＣＳ２２１、ダイオードＤＳ２２２、インダクタＬＳ２２２、ダイオードＤＳ２２３を備える。その他の構成は第１実施形態と同一である。
【００３６】
ここで、第２実施形態における上記スナバ回路の各構成を詳細に説明する。
第１スナバ回路を構成するコンデンサＣＳ２１１の一方の電極は整流用ダイオードＤ１のカソードに接続される。このコンデンサＣＳ２１１の他方の電極と第２出力端子ＴＯＵＴ２との間にはダイオードＤＳ２１３が接続される。即ち、コンデンサＣＳ２１１の他方の電極にはダイオードＤＳ２１３のアノードが接続され、このダイオードＤＳ２１３のカソードは第２出力端子ＴＯＵＴ２に接続される。このダイオードＤＳ２１３は、コンデンサＣＳ２１１の充電経路をなす整流回路として機能する。
【００３７】
また、コンデンサＣＳ２１１の他方の電極と第２出力端子ＴＯＵＴ２との間には、ダイオードＤＳ２１２及びインダクタＬＳ２１２からなる直列回路が接続される。即ち、コンデンサＣＳ２１１の他方の電極には、ダイオードＤＳ２１２のカソードが接続され、このダイオードＤＳ２１２のアノードはインダクタＬＳ２１２の一端に接続され、このインダクタＬＳ２１２の他端は第２出力端子ＴＯＵＴ２に接続される。これらダイオードＤＳ２１２及びインダクタＬＳ２１２は、コンデンサＣＳ２１１の放電経路をなす整流回路として機能する。
【００３８】
一方の第２スナバ回路も同様に構成される。即ち、第２スナバ回路を構成するコンデンサＣＳ２２１の一方の電極は整流用ダイオードＤ２のカソードに接続される。このコンデンサＣＳ２２１の他方の電極と第２出力端子ＴＯＵＴ２との間にはダイオードＤＳ２２３が接続される。即ち、コンデンサＣＳ２２１の他方の電極にはダイオードＤＳ２２３のアノードが接続され、このダイオードＤＳ２２３のカソードは第２出力端子ＴＯＵＴ２に接続される。このダイオードＤＳ２２３は、コンデンサＣＳ２２１の充電経路をなす整流回路として機能する。
【００３９】
また、コンデンサＣＳ２２１の他方の電極と第２出力端子ＴＯＵＴ２との間には、ダイオードＤＳ２２２及びインダクタＬＳ２２２からなる直列回路が接続される。即ち、コンデンサＣＳ２２１の他方の電極には、ダイオードＤＳ２２２のカソードが接続され、このダイオードＤＳ２２２のアノードはインダクタＬＳ２２２の一端に接続され、このインダクタＬＳ２２２の他端は第２出力端子ＴＯＵＴ２に接続される。これらダイオードＤＳ２２２及びインダクタＬＳ２２２は、コンデンサＣＳ２２１の放電経路をなす整流回路として機能する。
【００４０】
次に、整流用ダイオードＤ２を例として、整流用ダイオードＤ２に発生するサージの吸収動作を詳細に説明する。なお、通常の電力変換動作については上述の第１実施形態と同様であるから、これを省略する。
まず、整流用ダイオードＤ２が順方向にバイアスされた状態から、１次側のスイッチング動作に伴って絶縁トランスＴ１の２次巻線Ｌ２１，Ｌ２２に誘起される各電圧の向きが反転し、整流用ダイオードＤ２が逆方向にバイアスされた状態になると、前述のように、いわゆるリカバリ期間において寄生インダクタに蓄積されたエネルギーが瞬時的に放出され、サージが整流用ダイオードＤ２のカソードに発生する。
【００４１】
本実施形態では、サージによる電流は、図２に点線で示す充電経路ＣＲ２（コンデンサＣＳ２２１〜ダイオードＤＳ２２３〜整流用ダイオードＤ１〜２次巻線Ｌ２１，Ｌ２２〜コンデンサＣＳ２２１）に沿って流れ、これによりコンデンサＣＳ２２１が充電される。
【００４２】
その後、１次側のスイッチング動作に伴って、絶縁トランスＴ１の２次巻線に誘起される電圧の向きが反転する過程で、整流用ダイオードＤ２が順方向にバイアスされる。この場合、コンデンサＣＳ２２１に蓄積された電荷は、図２に一点鎖線で示す放電経路ＤＲ２（コンデンサＣＳ２２１〜２次巻線Ｌ２２〜出力インダクタＬｏｕｔ〜第１出力端子ＴＯＵＴ１〜負荷Ｒ〜第２出力端子ＴＯＵＴ２〜インダクタＬＳ２２２〜ダイオードＤＳ２２２〜コンデンサＣＳ２２１）に沿って流れ、これによりコンデンサＣＳ２２１が放電される。
【００４３】
このように、本実施形態によれば、ダイオードＤＳ２１２のカソードがダイオードＤＳ２１３のアノードに接続されているので、これら２つのダイオードを１つのコンポーネントとして構成することができ、上述の第１実施形態に比較して部品点数を削減することが可能になる。ダイオードＤＳ２２２，ＤＳ２２３についても同様である。
【００４４】
＜第３実施形態＞
次に、図３を参照して、本願請求項３に係る発明に対応する第３実施形態を説明する。
本実施形態に係るスイッチング電源装置は、上述の第１実施形態に係る図１の構成におけるスナバ回路に代え、整流用ダイオードＤ１に発生するサージを吸収するための第１スナバ回路として、コンデンサＣＳ３１１、ダイオードＤＳ３１２、インダクタＬＳ３１２、ダイオードＤＳ３１３を備えると共に、整流用ダイオードＤ２に発生するサージを吸収するための第２スナバ回路として、コンデンサＣＳ３２１、ダイオードＤＳ３２２、インダクタＬＳ３２２、ダイオードＤＳ３２３を備える。その他の構成は第１実施形態と同一である。
【００４５】
ここで、第３実施形態における上記スナバ回路の各構成を詳細に説明する。
第１スナバ回路を構成するコンデンサＣＳ３１１の一方の電極は整流用ダイオードＤ１のカソードに接続される。このコンデンサＣＳ３１１の他方の電極とセンタータップＴＰとの間にはダイオードＤＳ３１３が接続される。即ち、コンデンサＣＳ３１１の他方の電極にはダイオードＤＳ３１３のアノードが接続され、このダイオードＤＳ３１３のカソードはセンタータップＴＰに接続される。このダイオードＤＳ３１３は、コンデンサＣＳ３１１の充電経路をなす整流回路として機能する。
【００４６】
また、コンデンサＣＳ３１１の他方の電極と第２出力端子ＴＯＵＴ２との間には、ダイオードＤＳ３１２及びインダクタＬＳ３１２からなる直列回路が接続される。即ち、コンデンサＣＳ３１１の他方の電極にはインダクタＬＳ３１２の一端が接続され、このインダクタＬＳ３１２の他端はダイオードＤＳ３１２のカソードに接続され、このダイオードＤＳ３１２のアノードは第２出力端子ＴＯＵＴ２に接続される。これらダイオードＤＳ３１２及びインダクタＬＳ３１２は、コンデンサＣＳ３１１の放電経路をなす整流回路として機能する。
【００４７】
一方の第２スナバ回路も同様に構成される。即ち、第２スナバ回路を構成するコンデンサＣＳ３２１の一方の電極は整流用ダイオードＤ２のカソードに接続される。このコンデンサＣＳ３２１の他方の電極とセンタータップＴＰとの間にはダイオードＤＳ３２３が接続される。即ち、コンデンサＣＳ３２１の他方の電極にはダイオードＤＳ３２３のアノードが接続され、このダイオードＤＳ３２３のカソードはセンタータップＴＰに接続される。このダイオードＤＳ３２３は、コンデンサＣＳ３２１の充電経路をなす整流回路として機能する。
【００４８】
また、コンデンサＣＳ３２１の他方の電極と第２出力端子ＴＯＵＴ２との間には、ダイオードＤＳ３２２及びインダクタＬＳ３２２からなる直列回路が接続される。即ち、コンデンサＣＳ３２１の他方の電極にはインダクタＬＳ３２２の一端が接続され、このインダクタＬＳ３２２の他端はダイオードＤＳ３２２のカソードに接続され、このダイオードＤＳ３２２のアノードは第２出力端子ＴＯＵＴ２に接続される。これらダイオードＤＳ３２２及びインダクタＬＳ３２２は、コンデンサＣＳ３２１の放電経路をなす整流回路として機能する。
【００４９】
次に、整流用ダイオードＤ２を例として、この整流用ダイオードＤ２に発生するサージの吸収動作を詳細に説明する。なお、通常の電力変換動作については上述の第１実施形態と同様であるから、これを省略する。
まず、整流用ダイオードＤ２が順方向にバイアスされた状態から、１次側のスイッチング動作に伴って絶縁トランスＴ１の２次巻線Ｌ２１，Ｌ２２に誘起される各電圧の向きが反転し、整流用ダイオードＤ２が逆方向にバイアスされた状態になると、前述のように、いわゆるリカバリ期間において寄生インダクタに蓄積されたエネルギーが瞬時的に放出され、サージが整流用ダイオードＤ２のカソードに発生する。
【００５０】
本実施形態では、サージによる電流は、図３に点線で示す充電経路ＣＲ３（コンデンサＣＳ３２１〜ダイオードＤＳ３２３〜２次巻線Ｌ２２〜コンデンサＣＳ３２１）に沿って流れ、これによりコンデンサＣＳ３２１が充電される。
【００５１】
その後、１次側のスイッチング動作に伴って、絶縁トランスＴ１の２次巻線に誘起される電圧の向きが反転する過程で、整流用ダイオードＤ２が順方向にバイアスされる。この場合、コンデンサＣ３２１に蓄積された電荷は、図３に一点鎖線で示す放電経路ＤＲ３（コンデンサＣＤ３２１〜２次巻線Ｌ２２〜出力インダクタＬｏｕｔ〜第１出力端子ＴＯＵＴ１〜負荷Ｒ〜第２出力端子ＴＯＵＴ２〜ダイオードＤＳ３２２〜インダクタＬＳ３２２〜コンデンサＣＳ３２１）に沿って流れ、これによりコンデンサＣＳ３２１が放電される。
【００５２】
このように、本実施形態によれば、ダイオードＤＳ３１２のアノードが整流用ダイオードＤ１のアノードに接続されているので、これら２つのダイオードを１つのコンポーネントとして構成することができ、上述の第１実施形態に比較して部品点数を削減することが可能になる。ダイオードＤＳ３２２と整流用ダイオードＤ２についても同様である。
上述した第１ないし第３実施形態では、コンデンサに蓄積されたサージの放電経路は、基本的には同じであり、充電経路のみが相違している。
【００５３】
＜第４実施形態＞
図４を参照して、本願請求項４に係る発明に対応する第４実施形態を説明する。
図４に、本実施形態に係るスイッチング電源装置の構成を示す。なお、同図の絶縁トランスＴ１の１次側の構成は、前述の図１５に示す従来装置における絶縁トランスＴの１次側と同様であり、従って図４では絶縁トランスＴ１の１次側の構成を省略している。
【００５４】
図４に示すように、本スイッチング電源装置は、センタータップＴＰが設けられた絶縁トランスＴ１を備え、その２次側（出力側）には、整流用のダイオードＤ４１，Ｄ４２からなる整流回路と、出力インダクタＬｏｕｔ及び出力コンデンサＣｏｕｔからなる平滑回路が接続される。即ち、２次巻線Ｌ２１，Ｌ２２からなる絶縁トランスＴ１の２次巻線の一端及び他端には第１及び第２整流用ダイオードＤ４１，Ｄ４２の各アノードがそれぞれ接続され、これら整流用ダイオードＤ４１，Ｄ４２のカソードが出力インダクタＬｏｕｔを介して第１出力端子ＴＯＵＴ１に共通接続され、絶縁トランスＴ１のセンタータップＴＰは第２出力端子ＴＯＵＴ２に接続され、出力端子ＴＯＵＴ１と出力端子ＴＯＵＴ２との間には、本スイッチング電源装置により給電される負荷Ｒが接続される。
【００５５】
また、本スイッチング電源装置は、整流用ダイオードＤ４１，Ｄ４２に発生するサージを吸収するためのスナバ回路として、コンデンサＣＳ４１、ダイオードＤＳ４２、インダクタＬＳ４２、ダイオードＤＳ４３を備える。
【００５６】
ここで、上記スナバ回路の構成を詳細に説明する。
上記スナバ回路を構成するコンデンサＣＳ４１の一方の電極は整流用ダイオードＤ１のカソードに接続される。このコンデンサＣＳ４１の他方の電極と第１出力端子ＴＯＵＴ１との間にはダイオードＤＳ４３が接続される。即ち、コンデンサＣＳ４１の他方の電極にはダイオードＤＳ４３のアノードが接続され、このダイオードＤＳ４３のカソードは第１出力端子ＴＯＵＴ１に接続される。このダイオードＤＳ４３は、コンデンサＣＳ４１の充電経路をなす整流回路として機能する
【００５７】
また、コンデンサＣＳ４１の他方の電極と第２出力端子ＴＯＵＴ２との間には、インダクタＬＳ４２及びダイオードＤＳ４２からなる直列回路が接続される。即ち、ダイオードＤＳ４２のカソードは、上記コンデンサＣＳ４１の他方の電極に接続され、このダイオードＤＳ４２のアノードにはインダクタＬＳ４２の一端が接続され、このインダクタＬＳ４２の他端は第２出力端子ＴＯＵＴ２に接続される。これらインダクタＬＳ４２及びダイオードＤＳ４２は、コンデンサＣＳ４１の放電経路をなす整流回路として機能する。
なお、絶縁トランスＴ１の１次側の構成については、前述の図１５に示す従来装置と同様であり、その説明を省略する。
【００５８】
次に、本スイッチング電源装置の動作を説明する。
まず、通常の電力変換動作を簡単に説明する。援用する図１５において、スイッチＳ１〜Ｓ４からなるスイッチング回路が所定のスイッチング動作（周知のスイッチング動作）を実施することにより、直流入力電圧Ｖｉｎが交流電圧に変換されて、図４に示すトランスＴ１の１次巻線Ｌ１に供給される。これにより２次巻線Ｌ２１，Ｌ２２に交流電圧がそれぞれ誘起される。２次巻線Ｌ１１，Ｌ１２に誘起された各交流電圧は、整流用ダイオードＤ４１，Ｄ４２によって整流される。整流された電圧は、出力インダクタＬｏｕｔ及び出力コンデンサＣｏｕｔによって平滑され、所望の直流出力電圧Ｖｏｕｔとなって出力端子ＴＯＵＴ１，ＴＯＵＴ２を介して外部に出力される。
【００５９】
続いて、整流用ダイオードＤ４１を例として、この整流用ダイオードＤ４１に発生するサージの吸収動作を詳細に説明する。
初期状態で、絶縁トランスＴ１の２次巻線Ｌ２１，Ｌ２２には、整流用ダイオードＤ４２が逆方向にバイアスされると共に整流用ダイオードＤ４１が順方向にバイアスされる向きに電圧が誘起されているものとする。この状態では、２次巻線Ｌ２１に誘起された電圧が整流用ダイオードＤ４１により整流されて第１出力端子ＴＯＵＴ１と第２出力端子ＴＯＵＴ２に出力される。
【００６０】
上記初期状態から、１次側のスイッチング動作に伴って絶縁トランスＴ１の２次巻線Ｌ２１，Ｌ２２に誘起される各電圧の向きが反転すると、整流用ダイオードＤ４２が順方向にバイアスされると共に整流用ダイオードＤ４１が逆方向にバイアスされた状態となるが、いわゆるリカバリ期間の間、整流用ダイオードＤ４１はオン状態を維持する。このため、絶縁トランスＴ１の２次巻線Ｌ２１，Ｌ２２と整流用ダイオードＤ４１，Ｄ４２から構成されるループを過電流が流れ、そのエネルギーが絶縁トランスＴ１の寄生インダクタに蓄積される。
【００６１】
そして、上記リカバリ期間が経過すると、整流用ダイオードＤ４１がオフ状態に移行し、これにより上記過電流のループが遮断される。この結果、上記リカバリ期間において整流用ダイオードＤ４１のカソード側に存在する寄生インダクタに蓄積されたエネルギーが瞬時的に放出され、サージが整流用ダイオードＤ４１のカソードに発生する。このサージによる電流は、図４に点線で示す充電経路ＣＲ４（コンデンサＣＳ４１〜ダイオードＤＳ４３〜第１出力端子ＴＯＵＴ１〜負荷Ｒ〜第２出力端子ＴＯＵＴ２〜２次巻線Ｌ２１〜整流用ダイオードＤ４１〜コンデンサＣＳ４１）に沿って流れ、これによりコンデンサＣＳ４１が充電される。
【００６２】
その後、１次側のスイッチング動作に伴って、絶縁トランスＴ１の２次巻線に誘起される電圧の向きが再び反転する過程で、整流用ダイオードＤ４１が順方向にバイアスされる。この場合、コンデンサＣＳ４１に蓄積された電荷は、図４に一点鎖線で示す放電経路ＤＲ４（コンデンサＣ４１〜出力インダクタＬｏｕｔ〜第１出力端子ＴＯＵＴ１〜負荷Ｒ〜第２出力端子ＴＯＵＴ２〜インダクタＬＳ４２〜ダイオードＤＳ４２〜コンデンサＣＳ４１）に沿って流れ、これによりコンデンサＣＳ４１が放電される。
【００６３】
このように、本実施形態によれば、整流用ダイオードＤ４１のカソードに発生したサージによるエネルギーはコンデンサＣＳ４１に一旦蓄積された後、インダクタＬＳ４２を介して出力側に放電される。このときの放電電流の位相は、インダクタＬＳ４２により電圧の位相に対して遅延されるので、電圧と電流との積として表されるダイオードＤＳ４２における損失が抑制される。同様にして、一方の整流用ダイオードＤ４２で発生するサージによるエネルギーも、コンデンサＣＳ４１に一旦蓄積された後、インダクタＬ４２を介して低損失で出力側に放電される。
【００６４】
以上により、整流用ダイオードＤ４１，Ｄ４２に発生したサージが有効に吸収（抑制）され、そのエネルギーが出力側に放出される。従って、電源効率を低下させることなく、サージから整流用ダイオードを保護することが可能になる。
【００６５】
＜第５実施形態＞
次に、図５を参照して、本願請求項５に係る発明に対応する第５実施形態を説明する。
本実施形態に係るスイッチング電源装置は、上述の第４実施形態に係る図４の構成におけるスナバ回路に代え、整流用ダイオードＤ４１に発生するサージを吸収するための第１スナバ回路として、コンデンサＣＳ５１１、ダイオードＤＳ５１２、インダクタＬＳ５１２、ダイオードＤＳ５１３を備えると共に、整流用ダイオードＤ４２に発生するサージを吸収するための第２スナバ回路として、コンデンサＣＳ５２１、ダイオードＤＳ５２２、インダクタＬＳ５２２、ダイオードＤＳ５２３を備える。その他の構成は第４実施形態と同一である。
【００６６】
ここで、第５実施形態における上記スナバ回路の各構成を詳細に説明する。
第１スナバ回路を構成するコンデンサＣＳ５１１の一方の電極は整流用ダイオードＤ４１のカソードに接続される。このコンデンサＣＳ５１１の他方の電極と整流用ダイオードＤ４１のアノードとの間にはダイオードＤＳ５１３が接続される。即ち、コンデンサＣＳ５１１の他方の電極にはダイオードＤＳ５１３のアノードが接続され、このダイオードＤＳ５１３のカソードは整流用ダイオードＤ４１のアノードに接続される。このダイオードＤＳ５１３は、コンデンサＣＳ５１１の充電経路をなす整流回路として機能する。
【００６７】
また、コンデンサＣＳ５１１の他方の電極と整流用ダイオードＤ４１のアノードとの間には、ダイオードＤＳ５１２及びインダクタＬＳ５１２からなる直列回路が接続される。即ち、コンデンサＣＳ２１１の他方の電極には、ダイオードＤＳ５１２のカソードが接続され、このダイオードＤＳ５１２のアノードはインダクタＬＳ５１２の一端に接続され、このインダクタＬＳ５１２の他端は整流用ダイオードＤ４１のアノードに接続される。これらダイオードＤＳ５１２及びインダクタＬＳ５１２は、コンデンサＣＳ５１１の放電経路をなす整流回路として機能する。
【００６８】
一方の第２スナバ回路も同様に構成される。即ち、第２スナバ回路を構成するコンデンサＣＳ５２１の一方の電極は整流用ダイオードＤ４２のカソードに接続される。このコンデンサＣＳ５２１の他方の電極と整流用ダイオードＤ４２のアノードとの間にはダイオードＤＳ５２３が接続される。即ち、コンデンサＣＳ５２１の他方の電極にはダイオードＤＳ５２３のアノードが接続され、このダイオードＤＳ５２３のカソードは整流用ダイオードＤ４２のアノードに接続される。このダイオードＤＳ５２３は、コンデンサＣＳ５２１の充電経路をなす整流回路として機能する。
【００６９】
また、コンデンサＣＳ５２１の他方の電極と整流用ダイオードＤ４２のアノードとの間には、ダイオードＤＳ５２２及びインダクタＬＳ５２２からなる直列回路が接続される。即ち、コンデンサＣＳ５２１の他方の電極には、ダイオードＤＳ５２２のカソードが接続され、このダイオードＤＳ５２２のアノードはインダクタＬＳ５２２の一端に接続され、このインダクタＬＳ５２２の他端は整流用ダイオードＤ４２のアノードに接続される。これらダイオードＤＳ５２２及びインダクタＬＳ５２２は、コンデンサＣＳ５２１の放電経路をなす整流回路として機能する。
【００７０】
次に、整流用ダイオードＤ４２を例として、この整流用ダイオードＤ４２に発生するサージの吸収動作を詳細に説明する。なお、通常の電力変換動作については上述の第４実施形態と同様であるから、これを省略する。
まず、整流用ダイオードＤ４２が順方向にバイアスされた状態から、１次側のスイッチング動作に伴って絶縁トランスＴ１の２次巻線Ｌ２１，Ｌ２２に誘起される各電圧の向きが反転し、整流用ダイオードＤ４２が逆方向にバイアスされた状態になると、前述のように、いわゆるリカバリ期間において寄生インダクタに蓄積されたエネルギーが瞬時的に放出され、サージが整流用ダイオードＤ４２に発生する。
【００７１】
本実施形態では、サージによる電流は、図５に点線で示す充電経路ＣＲ５（コンデンサＣＳ５２１〜ダイオードＤＳ５２３〜２次巻線Ｌ２２，Ｌ２１〜整流用ダイオードＤ４１〜コンデンサＣＳ５２１）に沿って流れ、これによりコンデンサＣＳ５２１が充電される。
【００７２】
その後、１次側のスイッチング動作に伴って、絶縁トランスＴ１の２次巻線に誘起される電圧の向きが反転する過程で、整流用ダイオードＤ４２が順方向にバイアスされる。この場合、コンデンサＣＳ５２１に蓄積された電荷は、図５に一点鎖線で示す放電経路ＤＲ２（コンデンサＣＳ５２１〜出力インダクタＬｏｕｔ〜第１出力端子ＴＯＵＴ１〜負荷Ｒ〜第２出力端子ＴＯＵＴ２〜２次巻線Ｌ２２〜インダクタＬＳ５２２〜ダイオードＤＳ５２２〜コンデンサＣＳ５２１）に沿って流れ、これによりコンデンサＣＳ５２１が放電される。
【００７３】
以上により、整流用ダイオードＤ４１，Ｄ４２に発生したサージが有効に吸収（抑制）され、そのエネルギーが出力側に放出される。従って、電源効率を低下させることなく、サージから整流用ダイオードを保護することが可能になる。
【００７４】
＜第６実施形態＞
次に、図６を参照して、本願請求項６に係る発明に対応する第６実施形態を説明する。
本実施形態に係るスイッチング電源装置は、上述の第４実施形態に係る図４の構成におけるスナバ回路に代え、整流用ダイオードＤ４１に発生するサージを吸収するための第１スナバ回路として、コンデンサＣＳ６１１、ダイオードＤＳ６１２、インダクタＬＳ６１２、ダイオードＤＳ６１３を備えると共に、整流用ダイオードＤ４２に発生するサージを吸収するための第２スナバ回路として、コンデンサＣＳ６２１、ダイオードＤＳ６２２、インダクタＬＳ６２２、ダイオードＤＳ６２３を備える。その他の構成は第４実施形態と同一である。
【００７５】
ここで、第６実施形態における上記スナバ回路の各構成を詳細に説明する。
第１スナバ回路を構成するコンデンサＣＳ６１１の一方の電極は整流用ダイオードＤ４１のアノードに接続される。このコンデンサＣＳ６１１の他方の電極とセンタータップＴＰとの間にはダイオードＤＳ６１３が接続される。即ち、コンデンサＣＳ６１１の他方の電極にはダイオードＤＳ６１３のカソードが接続され、このダイオードＤＳ６１３のアノードはセンタータップＴＰに接続される。このダイオードＤＳ６１３は、コンデンサＣＳ６１１の充電経路をなす整流回路として機能する。
【００７６】
また、コンデンサＣＳ６１１の他方の電極と整流用ダイオードＤ４１のカソードとの間には、ダイオードＤＳ６１２及びインダクタＬＳ６１２からなる直列回路が接続される。即ち、コンデンサＣＳ６１１の他方の電極にはインダクタＬＳ６１２の一端が接続され、このインダクタＬＳ６１２の他端はダイオードＤＳ６１２のアノードに接続され、このダイオードＤＳ６１２のカソードは整流用ダイオードＤ４１のカソードに接続される。これらダイオードＤＳ６１２及びインダクタＬＳ６１２は、コンデンサＣＳ６１１の放電経路をなす整流回路として機能する。
【００７７】
一方の第２スナバ回路も同様に構成される。即ち、第２スナバ回路を構成するコンデンサＣＳ６２１の一方の電極は整流用ダイオードＤ４２のアノードに接続される。このコンデンサＣＳ６２１の他方の電極とセンタータップＴＰとの間にはダイオードＤＳ６２３が接続される。即ち、コンデンサＣＳ６２１の他方の電極にはダイオードＤＳ６２３のカソードが接続され、このダイオードＤＳ６２３のアノードはセンタータップＴＰに接続される。このダイオードＤＳ６２３は、コンデンサＣＳ６２１の充電経路をなす整流回路として機能する。
【００７８】
また、コンデンサＣＳ６２１の他方の電極と整流用ダイオードＤ４２のカソードとの間には、ダイオードＤＳ６２２及びインダクタＬＳ６２２からなる直列回路が接続される。即ち、コンデンサＣＳ６２１の他方の電極にはインダクタＬＳ６２２の一端が接続され、このインダクタＬＳ６２２の他端はダイオードＤＳ６２２のアノードに接続され、このダイオードＤＳ６２２のカソードは整流用ダイオードＤ４２のカソードに接続される。これらダイオードＤＳ６２２及びインダクタＬＳ６２２は、コンデンサＣＳ６２１の放電経路をなす整流回路として機能する。
【００７９】
次に、整流用ダイオードＤ４２を例として、この整流用ダイオードＤ４２に発生するサージの吸収動作を詳細に説明する。なお、通常の電力変換動作については上述の第４実施形態と同様であるから、これを省略する。
まず、整流用ダイオードＤ４２が順方向にバイアスされた状態から、１次側のスイッチング動作に伴って絶縁トランスＴ１の２次巻線Ｌ２１，Ｌ２２に誘起される各電圧の向きが反転し、整流用ダイオードＤ４２が逆方向にバイアスされた状態になると、前述のように、いわゆるリカバリ期間において寄生インダクタに蓄積されたエネルギーが瞬時的に放出され、正のサージが整流用ダイオードＤ４２のカソードに発生する。このことは、負のサージが整流用ダイオードＤ４２のアノードに印加されたことと等価であり、本実施形態では、この負のサージを吸収することにより、整流用ダイオードＤ４２に発生するサージを吸収する。
【００８０】
上述の負のサージによる電流は、図６に点線で示す充電経路ＣＲ６（コンデンサＣＳ６２１〜２次巻線Ｌ２２〜ダイオードＤＳ６２３〜コンデンサＣＳ６２１）に沿って流れ、これによりコンデンサＣＳ６２１が充電される。
【００８１】
その後、１次側のスイッチング動作に伴って、絶縁トランスＴ１の２次巻線に誘起される電圧の向きが反転する過程で、整流用ダイオードＤ４２が順方向にバイアスされる。この場合、コンデンサＣＳ６２１に蓄積された電荷は、図６に一点鎖線で示す放電経路ＤＲ６（コンデンサＣＳ６２１〜インダクタＬＳ６２２〜ダイオードＤＳ６２２〜出力インダクタＬｏｕｔ〜第１出力端子ＴＯＵＴ１〜負荷Ｒ〜第２出力端子ＴＯＵＴ２〜２次巻線Ｌ２２〜コンデンサＣＳ６２１）に沿って流れ、これによりコンデンサＣＳ６２１が放電される。
【００８２】
以上により、整流用ダイオードＤ４１，Ｄ４２に発生したサージが有効に吸収（抑制）され、そのエネルギーが出力側に放出される。従って、電源効率を低下させることなく、サージから整流用ダイオードを保護することが可能になる。
【００８３】
＜第７実施形態＞
図７を参照して、本願請求項７に係る発明に対応する第７実施形態を説明する。
図７に、本実施形態に係るスイッチング電源装置の構成を示す。なお、同図の絶縁トランスＴ７の１次側の構成は、前述の図１５に示す従来装置における絶縁トランスＴの１次側と同様であり、図７では絶縁トランスＴ７の１次側の構成を省略している。
【００８４】
図７に示すように、本スイッチング電源装置は、絶縁トランスＴ７を備え、その２次側（出力側）には、整流用のダイオードＤ７１，Ｄ７２，Ｄ７３，Ｄ７４からなる全波整流回路と、出力インダクタＬｏｕｔ、出力コンデンサＣｏｕｔからなる平滑回路が接続される。ここで、整流用ダイオードＤ７１，Ｄ７３の各カソードは、上記全波整流回路の第１出力部とされ、出力インダクタＬｏｕｔを介して第１出力端子ＴＯＵＴ１に接続される。整流用ダイオードＤ７２，Ｄ７４の各アノードは、上記全波整流回路の第２出力部とされ、第２出力端子ＴＯＵＴ１に共通接続される。
【００８５】
また、整流用ダイオードＤ７１のアノードは、整流用ダイオードＤ７２のカソードに接続され、これらの接続点は本全波整流回路の第１入力部とされる。整流用ダイオードＤ７３のアノードは、整流用ダイオードＤ７４のカソードに接続され、これらの接続点は本全波整流回路の第２入力部とされる。絶縁トランスＴ７の２次巻線Ｌ２の一端及び他端は上記全波整流回路の第１及び第２入力部にそれぞれ接続される。出力端子ＴＯＵＴ１と出力端子ＴＯＵＴ２との間には、本スイッチング電源装置により給電される負荷Ｒが接続される。
【００８６】
また、本スイッチング電源装置は、整流用ダイオードＤ７２のカソードに発生するサージを吸収するための第１スナバ回路として、コンデンサＣＳ７１１、ダイオードＤＳ７１２、インダクタＬＳ７１２、ダイオードＤＳ７１３を備えると共に、整流用ダイオードＤ７４のカソードに発生するサージを吸収するための第２スナバ回路として、コンデンサＣＳ７２１、ダイオードＤＳ７２２、インダクタＬＳ７２２、ダイオードＤＳ７２３を備える。
【００８７】
ここで、上記スナバ回路の各構成を詳細に説明する。
第１スナバ回路を構成するコンデンサＣＳ７１１の一方の電極は、整流用ダイオードＤ７２のカソード、即ち、上記全波整流回路の第２入力部に接続される。このコンデンサＣＳ７１１の他方の電極と上記全波整流回路の第１入力部との間にはダイオードＤＳ７１３が接続される。具体的には、コンデンサＣＳ７１１の他方の電極にはダイオードＤＳ７１３のカソードが接続され、このダイオードＤＳ７１３のアノードは、整流用ダイオードＤ７２のカソードに接続される。このダイオードＤＳ７１３は、コンデンサＣＳ７１１の充電経路をなす整流回路として機能する。
【００８８】
また、コンデンサＣＳ７１１の他方の電極と上記全波整流回路の第１入力部との間には、ダイオードＤＳ７１２及びインダクタＬＳ７１２からなる直列回路が接続される。即ち、コンデンサＣＳ７１１の他方の電極には、ダイオードＤＳ７１２のアノードが接続され、このダイオードＤＳ７１２のカソードにはインダクタＬＳ７１２の一端が接続され、このインダクタＬＳ７１２の他端は、上記全波整流回路の第１入力部に接続される。これらインダクタＬＳ７１２及びダイオードＤＳ７１２は、コンデンサＣＳ７１１の放電経路をなす整流回路として機能する。
【００８９】
一方の第２スナバ回路も同様に構成される。即ち、第２スナバ回路を構成するコンデンサＣＳ７２１の一方の電極は、整流用ダイオードＤ７２のカソード、即ち、上記全波整流回路の第１入力部に接続される。このコンデンサＣＳ７２１の他方の電極と上記全波整流回路の第２入力部との間にはダイオードＤＳ７２３が接続される。具体的には、コンデンサＣＳ７２１の他方の電極にはダイオードＤＳ７２３のカソードが接続され、このダイオードＤＳ７２３のアノードは、整流用ダイオードＤ７４のカソードに接続される。ダイオードＤＳ７２３は、コンデンサＣＳ７２１の充電経路をなす整流回路として機能する。
【００９０】
また、コンデンサＣＳ７２１の他方の電極と上記全波整流回路の第２入力部との間には、ダイオードＤＳ７２２及びインダクタＬＳ７２２からなる直列回路が接続される。即ち、コンデンサＣＳ７２１の他方の電極には、ダイオードＤＳ７２２のアノードが接続され、このダイオードＤＳ７２２のカソードにはインダクタＬＳ７２２の一端が接続され、このインダクタＬＳ７２２の他端は、上記全波整流回路の第２入力部に接続される。これらインダクタＬＳ７２２及びダイオードＤＳ７２２は、コンデンサＣＳ７２１の放電経路をなす整流回路として機能する。
なお、絶縁トランスＴ７の１次側の構成については、前述の図１５に示す従来装置と同様であり、その説明を省略する。
【００９１】
次に、本スイッチング電源装置の動作を説明する。
まず、通常の電力変換動作を簡単に説明する。援用する図１５において、スイッチＳ１〜Ｓ４からなるスイッチング回路が所定のスイッチング動作（周知のスイッチング動作）を実施することにより、直流入力電圧Ｖｉｎが交流電圧に変換されて、図７に示す絶縁トランスＴ７の１次巻線Ｌ１に供給される。これにより絶縁トランスＴ７の２次巻線Ｌ２に交流電圧が誘起される。２次巻線Ｌ２に誘起された交流電圧は、整流用ダイオードＤ７１，Ｄ７２，Ｄ７３，Ｄ７４によって全波整流される。全波整流された電圧は、出力インダクタＬｏｕｔ及び出力コンデンサＣｏｕｔによって平滑され、所望の直流出力電圧Ｖｏｕｔとなって出力端子ＴＯＵＴ１，ＴＯＵＴ２を介して外部の負荷Ｒに供給される。
【００９２】
続いて、整流用ダイオードＤ７２を例として、この整流用ダイオードＤ７２のカソードに発生するサージの吸収動作を詳細に説明する。
初期状態で、絶縁トランスＴ７の２次巻線Ｌ２には、整流用ダイオードＤ７２，Ｄ７３が順方向にバイアスされると共に、整流用ダイオードＤ７１，Ｄ７４が逆方向にバイアスされる向きに電圧が誘起されているものとする。この状態では、２次巻線Ｌ２に誘起された電圧が整流用ダイオードＤ７２，Ｄ７３により整流されて第１出力端子ＴＯＵＴ１と第２出力端子ＴＯＵＴ２に出力される。
【００９３】
上記初期状態から、１次側のスイッチング動作に伴って絶縁トランスＴ７の２次巻線Ｌ２に誘起される電圧の向きが反転すると、整流用ダイオードＤ７２，Ｄ７３が逆方向にバイアスされた状態となり、整流用ダイオードＤ７１，Ｄ７４は順方向にバイアスされた状態となるが、いわゆるリカバリ期間の間、整流用ダイオードＤ７２，Ｄ７３はオン状態を維持する。このため、絶縁トランスＴ７の２次巻線Ｌ２と整流用ダイオードＤ７２と整流用ダイオードＤ７４から構成されるループを過電流が流れ、そのエネルギーが絶縁トランスＴ７の寄生インダクタに蓄積される。
【００９４】
そして、上記リカバリ期間が経過すると、整流用ダイオードＤ７２がオフ状態に移行し、これにより上記過電流のループが遮断される。この結果、上記リカバリ期間において整流用ダイオードＤ７２のカソード側に存在する寄生インダクタに蓄積されたエネルギーが瞬時的に放出され、サージが整流用ダイオードＤ７２のカソードに発生する。このサージによる電流は、図７に点線で示す充電経路ＣＲ７（コンデンサＣＳ７１１〜２次巻線Ｌ２〜ダイオードＤＳ７１３〜コンデンサＣＳ７１１）に沿って流れ、これによりコンデンサＣＳ７１１が充電される。
【００９５】
その後、１次側のスイッチング動作に伴って、絶縁トランスＴ７の２次巻線Ｌ２に誘起される電圧の向きが再び反転する過程で、整流用ダイオードＤ７２が順方向にバイアスされる。この場合、コンデンサＣＳ７２１に蓄積された電荷は、図７に一点鎖線で示す放電経路ＤＲ７（コンデンサＣＳ７１１〜ダイオードＤＳ７１２〜インダクタＬＳ７１２〜整流用ダイオードＤ７１〜出力インダクタＬｏｕｔ〜第１出力端子ＴＯＵＴ１〜負荷Ｒ〜第２出力端子ＴＯＵＴ２〜整流用ダイオードＤ７４〜コンデンサＣＳ７１１）に沿って流れ、これによりコンデンサＣＳ７２１が放電される。
【００９６】
このように、本実施形態によれば、整流用ダイオードＤ７２のカソードに発生したサージによるエネルギーはコンデンサＣＳ７１１に一旦蓄積された後、インダクタＬＳ７１２を介して出力側に放電される。このときの放電電流の位相は、インダクタＬＳ７１２により電圧の位相に対して遅延されるので、電圧と電流との積として表されるダイオードＤＳ７１２における損失が抑制される。同様にして、整流用ダイオードＤ７４で発生するサージによるエネルギーは、コンデンサＣＳ７２１に一旦蓄積された後、インダクタＬＳ７２２を介して低損失で出力側に放電される。
【００９７】
以上により、整流用ダイオードＤ７２，Ｄ７４のカソード側、即ち、全波整流回路の入力部に発生したサージが有効に吸収（抑制）され、そのエネルギーが出力側に放出される。従って、電源効率を低下させることなく、サージから整流用ダイオードを保護することが可能になる。
【００９８】
＜第８実施形態＞
次に、図８を参照して、本願請求項８に係る発明に対応する第８実施形態を説明する。
本実施形態に係るスイッチング電源装置は、上述の第７実施形態に係る図７の構成におけるスナバ回路に代え、整流用ダイオードＤ７１，Ｄ７３のカソードに発生するサージを吸収するためのスナバ回路として、コンデンサＣＳ８１、ダイオードＤＳ８２、インダクタＬＳ８２、ダイオードＤＳ８３を備える。その他の構成は第７実施形態と同一である。
【００９９】
ここで、第８実施形態における上記スナバ回路の構成を詳細に説明する。
スナバ回路を構成するコンデンサＣＳ８１の一方の電極は、整流用ダイオードＤ７１、Ｄ７３のカソード、即ち、上記全波整流回路の第１出力部に接続される。このコンデンサＣＳ８１の他方の電極と第１出力端子ＴＯＵＴ１との間にはダイオードＤＳ８３が接続される。即ち、コンデンサＣＳ８１の他方の電極にはダイオードＤＳ８３のアノードが接続され、このダイオードＤＳ８３のカソードは第１出力端子ＴＯＵＴ１に接続される。このダイオードＤＳ８３は、コンデンサＣＳ８１の充電経路をなす整流回路として機能する。
【０１００】
また、コンデンサＣＳ８１の他方の電極と第２出力端子ＴＯＵＴ２との間には、ダイオードＤＳ８２及びインダクタＬＳ８２からなる直列回路が接続される。即ち、コンデンサＣＳ８１の他方の電極には、ダイオードＤＳ８２のカソードが接続され、このダイオードＤＳ８２のアノードはインダクタＬＳ８２の一端に接続され、このインダクタＬＳ８２の他端は第２出力端子ＴＯＵＴ２に接続される。これらダイオードＤＳ８２及びインダクタＬＳ８２は、コンデンサＣＳ８１の放電経路をなす整流回路として機能する。
【０１０１】
次に、整流用ダイオードＤ７１を例として、この整流用ダイオードＤ７１に発生するサージの吸収動作を詳細に説明する。なお、通常の電力変換動作については上述の第７実施形態と同様であるから、これを省略する。
まず、整流用ダイオードＤ７１が順方向にバイアスされると共に整流用ダイオードＤ７２が逆方向にバイアスされた状態から、１次側のスイッチング動作に伴って絶縁トランスＴ７の２次巻線Ｌ２に誘起される電圧の向きが反転し、整流用ダイオードＤ７１が逆方向にバイアスされた状態になり、整流用ダイオードＤ７３が順方向にバイアスされた状態になると、前述のように、いわゆるリカバリ期間において寄生インダクタに蓄積されたエネルギーが瞬時的に放出され、サージが整流用ダイオードＤ７１のカソードに発生する。
【０１０２】
本実施形態では、サージによる電流は、図８に点線で示す充電経路ＣＲ８（コンデンサＣＳ８１〜ダイオードＤＳ８３〜第１出力端子ＴＯＵＴ１〜負荷Ｒ〜第２出力端子ＴＯＵＴ２〜整流用ダイオードＤ７４〜２次巻線Ｌ２〜整流用ダイオードＤ７１〜コンデンサＣＳ８１）に沿って流れ、これによりコンデンサＣＳ８１が充電される。
【０１０３】
その後、１次側のスイッチング動作に伴って、絶縁トランスＴ７の２次巻線Ｌ２に誘起される電圧の向きが反転する過程で、整流用ダイオードＤ７１が順方向にバイアスされる。この場合、コンデンサＣＳ８１に蓄積された電荷は、図８に一点鎖線で示す放電経路ＤＲ８（コンデンサＣＳ８１〜出力インダクタＬｏｕｔ〜第１出力端子ＴＯＵＴ１〜負荷Ｒ〜第２出力端子ＴＯＵＴ２〜インダクタＬＳ８２〜ダイオードＤＳ８２〜コンデンサＣＳ８１）に沿って流れ、これによりコンデンサＣＳ８１が放電される。
【０１０４】
以上により、整流用ダイオードＤ７１，Ｄ７３のカソード側、即ち、全波整流回路の出力部に発生したサージが有効に吸収（抑制）され、そのエネルギーが出力側に放出される。従って、電源効率を低下させることなく、サージから整流用ダイオードを保護することが可能になる。
【０１０５】
＜第９実施形態＞
次に、図９を参照して、本願請求項９に本発明の第９実施形態を説明する。
本実施形態に係るスイッチング電源装置は、上述の第７実施形態に係る図７の構成におけるスナバ回路に代え、整流用ダイオードＤ７１，Ｄ７３のカソードに発生するサージを吸収するためのスナバ回路として、コンデンサＣＳ９１、ダイオードＤＳ９１２，ＤＳ９２２、インダクタＬＳ９１２，ＬＳ９２２、ダイオードＤＳ９３を備える。その他の構成は第７実施形態と同一である。
【０１０６】
ここで、第９実施形態における上記スナバ回路の構成を詳細に説明する。
スナバ回路を構成するコンデンサＣＳ９１の一方の電極は、整流用ダイオードＤ７１、Ｄ７３のカソード、即ち、上記全波整流回路の第１出力部に接続される。このコンデンサＣＳ９１の他方の電極と第１出力端子ＴＯＵＴ１との間にはダイオードＤＳ９３が接続される。即ち、コンデンサＣＳ９１の他方の電極にはダイオードＤＳ９３のアノードが接続され、このダイオードＤＳ９３のカソードは第１出力端子ＴＯＵＴ１に接続される。このダイオードＤＳ９３は、コンデンサＣＳ９１の充電経路をなす整流回路として機能する。
【０１０７】
また、コンデンサＣＳ９１の他方の電極と上記全波整流回路の第２入力部との間には、ダイオードＤＳ９１２及びインダクタＬＳ９１２からなる直列回路が接続される。即ち、コンデンサＣＳ９１の他方の電極には、ダイオードＤＳ９１２のカソードが接続され、このダイオードＤＳ９１２のアノードはインダクタＬＳ９１２の一端に接続され、このインダクタＬＳ９１２の他端は上記全波整流回路の第２入力部（整流用ダイオードＤ７４のカソード）に接続される。
【０１０８】
また、コンデンサＣＳ９１の他方の電極と上記全波整流回路の第１入力部との間には、ダイオードＤＳ９２２及びインダクタＬＳ９２２からなる直列回路が接続される。即ち、コンデンサＣＳ９１の他方の電極には、ダイオードＤＳ９２２のカソードが接続され、このダイオードＤＳ９２２のアノードはインダクタＬＳ９２２の一端に接続され、このインダクタＬＳ９２２の他端は上記全波整流回路の第１入力部（整流用ダイオードＤ７２のカソード）に接続される。上記ダイオードＤＳ９１２及びインダクタＬＳ９１２並びにダイオードＤＳ９２２及びインダクタＬＳ９２２は、コンデンサＣＳ９１の放電経路をなす整流回路として機能する。
【０１０９】
次に、整流用ダイオードＤ７１を例として、この整流用ダイオードＤ７１に発生するサージの吸収動作を詳細に説明する。なお、通常の電力変換動作については前述の第７実施形態と同様であるから、これを省略する。
まず、整流用ダイオードＤ７１，Ｄ７４が順方向にバイアスされると共に整流用ダイオードＤ７２，Ｄ７３が逆方向にバイアスされた状態から、１次側のスイッチング動作に伴って絶縁トランスＴ７の２次巻線Ｌ２に誘起される電圧の向きが反転し、整流用ダイオードＤ７１が逆方向にバイアスされた状態になると、前述のように、いわゆるリカバリ期間において寄生インダクタに蓄積されたエネルギーが瞬時的に放出され、サージが整流用ダイオードＤ７１のカソードに発生する。
【０１１０】
本実施形態では、サージによる電流は、図９に点線で示す充電経路ＣＲ９（コンデンサＣＳ９１〜ダイオードＤＳ９３〜第１出力端子ＴＯＵＴ１〜負荷Ｒ〜第２出力端子ＴＯＵＴ２〜整流用ダイオードＤ７４〜２次巻線Ｌ２〜整流用ダイオードＤ７１〜コンデンサＣＳ９１）に沿って流れ、これによりコンデンサＣＳ９１が充電される。
【０１１１】
その後、１次側のスイッチング動作に伴って、絶縁トランスＴ７の２次巻線Ｌ２に誘起される電圧の向きが反転する過程で、整流用ダイオードＤ７１が順方向にバイアスされる。この場合、コンデンサＣＳ９１に蓄積された電荷は、図９に一点鎖線で示す放電経路ＤＲ９（コンデンサＣＳ９１〜出力インダクタＬｏｕｔ〜第１出力端子ＴＯＵＴ１〜負荷Ｒ〜第２出力端子ＴＯＵＴ２〜整流用ダイオードＤ７４〜インダクタＬＳ９１２〜ダイオードＤＳ９１２〜コンデンサＣＳ９１）に沿って流れ、これによりコンデンサＣＳ９１が放電される。
【０１１２】
以上により、整流用ダイオードＤ７１のカソード、即ち、全波整流回路の出力部に発生したサージが有効にコンデンサＣＳ９１に吸収され、そのエネルギーがインダクタＬＳ９１２を介して出力側に放出される。従って、電源効率を低下させることなく、サージから整流用ダイオードを保護することが可能になる。
なお、整流用ダイオードＤ７３のカソードに発生するサージについては、コンデンサＣＳ９１に吸収された後、インダクタＬＳ９２２を介して出力側に放出される。
【０１１３】
上述の図９に示す例では、コンデンサＣＳ９１の放電経路として、ダイオードＤＳ９１２及びインダクタＬＳ９１２からなる整流回路と、ダイオードＤＳ９２２及びインダクタＬＳ９２２からなる整流回路とを設けたが、図１０および図１１に示すように、何れか一方を設けてもよい。ここで、図１０に示す例は、コンデンサＣＳ９１の放電経路として、ダイオードＤＳ９１２及びインダクタＬＳ９１２のみを備えたものである。この場合、整流ダイオードＤ７１及び整流用ダイオードＤ７３の各カソードに発生したサージは、コンデンサＣＳ９１に一旦蓄積された後、ダイオードＤＳ９１２及びインダクタＬＳ９１２を介して出力側に放電される。図１１に示す例は、コンデンサＣＳ９１の放電経路として、ダイオードＤＳ９２２及びインダクタＬＳ９２２を備えたものである。この例でも同様に、コンデンサＣＳ９１に蓄積されたサージは、ダイオードＤＳ９２２及びインダクタＬＳ９２２路を介して出力側に放電される。
【０１１４】
＜第１０実施形態＞
図１２を参照して、本願請求項１０に係る発明に対応する第１０実施形態を説明する。
図１２に、本実施形態に係るスイッチング電源装置の構成を示す。なお、同図の絶縁トランスＴ７の１次側の構成は、前述の図１５に示す従来装置における絶縁トランスＴの１次側と同様であり、図１２では絶縁トランスＴ１の１次側の構成を省略している。
【０１１５】
図１２に示すように、本スイッチング電源装置は、絶縁トランスＴ７の出力側に、整流用のダイオードＤ７１，Ｄ７２，Ｄ７３，Ｄ７４からなる全波整流回路と、出力インダクタＬｏｕｔ及び出力コンデンサＣｏｕｔからなる平滑回路が接続される。ここで、整流用ダイオードＤ７１，Ｄ７３の各カソードは、上記全波整流回路の第１出力部とされ、出力インダクタＬｏｕｔを介して第１出力端子ＴＯＵＴ１に接続される。また、整流用ダイオードＤ７２，Ｄ７４の各アノードは、上記全波整流回路の第２出力部とされ、第２出力端子ＴＯＵＴ１に共通接続される。
【０１１６】
整流用ダイオードＤ７１のアノードは、整流用ダイオードＤ７２のカソードに接続され、これらの接続点は本全波整流回路の第１入力部とされる。また、整流用ダイオードＤ７３のアノードは、整流用ダイオードＤ７４のカソードに接続され、これらの接続点は本全波整流回路の第２入力部とされる。絶縁トランスＴ７の２次巻線Ｌ２の一端及び他端は上記全波整流回路の第１及び第２入力部にそれぞれ接続される。出力端子ＴＯＵＴ１と出力端子ＴＯＵＴ２との間には、本スイッチング電源装置により給電される負荷Ｒが接続される。
【０１１７】
また、本スイッチング電源装置は、整流用ダイオードＤ７２のカソードに発生するサージを吸収するための第１スナバ回路として、コンデンサＣＳＡ１１、ダイオードＤＳＡ１２、インダクタＬＳＡ１２、ダイオードＤＳＡ１３を備えると共に、整流用ダイオードＤ７４のカソードに発生するサージを吸収するための第２スナバ回路として、コンデンサＣＳＡ２１、ダイオードＤＳＡ２２、インダクタＬＳＡ２２、ダイオードＤＳＡ２３を備える。
【０１１８】
ここで、上記スナバ回路の各構成を詳細に説明する。
第１スナバ回路を構成するコンデンサＣＳＡ１１の一方の電極は、整流用ダイオードＤ７４のカソード、即ち、上記全波整流回路の第２入力部に接続される。このコンデンサＣＳＡ１１の他方の電極と第１出力端子ＴＯＵＴ１との間にはダイオードＤＳＡ１３が接続される。具体的には、コンデンサＣＳＡ１１の他方の電極にはダイオードＤＳＡ１３のアノードが接続され、このダイオードＤＳＡ１３のカソードは第１出力端子ＴＯＵＴ１に接続される。このダイオードＤＳＡ１３はコンデンサＣＳＡ１１の充電経路をなす整流回路として機能する。
【０１１９】
また、コンデンサＣＳＡ１１の他方の電極と第２出力端子ＴＯＵＴ２との間には、ダイオードＤＳＡ１２及びインダクタＬＳＡ１２からなる直列回路が接続される。即ち、コンデンサＣＳＡ１１の他方の電極には、ダイオードＤＳＡ１２のカソードが接続され、このダイオードＤＳＡ１２のアノードにはインダクタＬＳＡ１２の一端が接続され、このインダクタＬＳＡ１２の他端は、第２出力端子ＴＯＵＴ２に接続される。これらインダクタＬＳＡ１２及びダイオードＤＳＡ１２は、コンデンサＣＳＡ１１の放電経路をなす整流回路として機能する。
【０１２０】
一方の第２スナバ回路も同様に構成される。即ち、第２スナバ回路を構成するコンデンサＣＳＡ２１の一方の電極は、整流用ダイオードＤ７２のカソード、即ち、上記全波整流回路の第１入力部に接続される。このコンデンサＣＳＡ２１の他方の電極と第１出力端子ＴＯＵＴ１との間にはダイオードＤＳＡ２３が接続される。具体的には、コンデンサＣＳＡ２１の他方の電極にはダイオードＤＳＡ２３のアノードが接続され、このダイオードＤＳＡ２３のカソードは第１出力端子ＴＯＵＴ１に接続される。このダイオードＤＳＡ２３はコンデンサＣＳＡ２１の充電経路をなす整流回路として機能する。
【０１２１】
また、コンデンサＣＳＡ２１の他方の電極と第２出力端子ＴＯＵＴ２との間には、ダイオードＤＳＡ２２及びインダクタＬＳＡ２２からなる直列回路が接続される。即ち、コンデンサＣＳＡ２１の他方の電極には、ダイオードＤＳＡ２２のカソードが接続され、このダイオードＤＳＡ２２のアノードにはインダクタＬＳＡ２２の一端が接続され、このインダクタＬＳＡ２２の他端は、第２出力端子ＴＯＵＴ２に接続される。これらインダクタＬＳＡ２２及びダイオードＤＳＡ２２は、コンデンサＣＳＡ２１の放電経路をなす整流回路として機能する。
なお、絶縁トランスＴ７の１次側の構成については、前述の図１５に示す従来装置と同様であり、その説明を省略する。
【０１２２】
次に、整流用ダイオードＤ７４を例として、この整流用ダイオードＤ７４のカソードに発生するサージの吸収動作を詳細に説明する。なお、通常の電力変換動作については上述の第７ないし第９実施形態と同様であるから、これを省略する。
初期状態で、絶縁トランスＴ７の２次巻線Ｌ２に、整流用ダイオードＤ７１，Ｄ７４が順方向にバイアスされると共に整流用ダイオードＤ７２，Ｄ７３が逆方向にバイアスされる向きに電圧が誘起されているものとする。この状態では、２次巻線Ｌ２に誘起された電圧が整流用ダイオードＤ７１，Ｄ７４により整流されて第１出力端子ＴＯＵＴ１と第２出力端子ＴＯＵＴ２に出力される。
【０１２３】
上記初期状態から、１次側のスイッチング動作に伴って絶縁トランスＴ７の２次巻線Ｌ２に誘起される電圧の向きが反転すると、整流用ダイオードＤ７１，Ｄ７４が逆方向にバイアスされた状態となり、整流用ダイオードＤ７２，Ｄ７３は順方向にバイアスされた状態となるが、いわゆるリカバリ期間の間、整流用ダイオードＤ７４はオン状態を維持する。このため、絶縁トランスＴ７の２次巻線Ｌ２と整流用ダイオードＤ７２と整流用ダイオードＤ７４から構成されるループを過電流が流れ、そのエネルギーが寄生インダクタに蓄積される。
【０１２４】
そして、上記リカバリ期間が経過すると、整流用ダイオードＤ７４がオフ状態に移行し、これにより上記過電流のループが遮断される。この結果、整流用ダイオードＤ７４のカソード側に存在する寄生インダクタに蓄積されたエネルギーが瞬時的に放出され、サージが整流用ダイオードＤ７４のカソードに発生する。このサージによる電流は、図１２に点線で示す充電経路ＣＲ１２（コンデンサＣＳＡ２１〜ダイオードＤＳＡ２３〜第１出力端子ＴＯＵＴ１〜負荷Ｒ〜第２出力端子ＴＯＵＴ２〜整流用ダイオードＤ７４〜２次巻線Ｌ２〜コンデンサＣＳＡ２１）に沿って流れ、これによりコンデンサＣＳＡ２１が充電される。
【０１２５】
その後、１次側のスイッチング動作に伴って、絶縁トランスＴ７の２次巻線Ｌ２に誘起される電圧の向きが再び反転する過程で、整流用ダイオードＤ７４が順方向にバイアスされる。この場合、コンデンサＣＳＡ２１に蓄積された電荷は、図１２に一点鎖線で示す放電経路ＤＲ１２（コンデンサＣＳＡ２１〜整流用ダイオードＤ７１〜出力インダクタＬｏｕｔ〜第１出力端子ＴＯＵＴ１〜負荷Ｒ〜第２出力端子ＴＯＵＴ２〜インダクタＬＳＡ２２〜ダイオードＤＳＡ２２〜コンデンサＣＳＡ２１）に沿って流れ、これによりコンデンサＣＳＡ２１が放電される。
【０１２６】
このように、本実施形態によれば、整流用ダイオードＤ７４のカソードに発生したサージによるエネルギーはコンデンサＣＳＡ２１に一旦蓄積された後、インダクタＬＳＡ２２を介して出力側に放電される。このときの放電電流の位相は、インダクタＬＳＡ２２により電圧の位相に対して遅延されるので、電圧と電流との積として表されるダイオードＤＳＡ２２における損失が抑制される。同様にして、整流用ダイオードＤ７２で発生するサージによるエネルギーは、コンデンサＣＳＡ１１に一旦蓄積された後、インダクタＬＳＡ１２を介して低損失で出力側に放電される。
【０１２７】
以上により、整流用ダイオードＤ７２，Ｄ７４のカソード側、即ち、全波整流回路の入力部に発生したサージが有効に吸収（抑制）され、そのエネルギーが出力側に放出される。従って、電源効率を低下させることなく、サージから整流用ダイオードを保護することが可能になる。
【０１２８】
上述の図１２に示す例では、コンデンサＣＳＡ１１の放電経路として、ダイオードＤＳＡ１２及びインダクタＬＳＡ１２からなる整流回路を設けると共に、コンデンサＣＳＡ２１の放電経路として、ダイオードＤＳＡ２２及びインダクタＬＳＡ２２からなる整流回路を設けたが、図１３に示すように、図１２に示す２つのインダクタＬＳＡ１２，ＬＳＡ２２を１つのインダクタＬＳＡ２に置き替え、コンデンサＣＳＡ１１，ＣＳＡ２１の放電経路として一つのインダクタＬＳＡ２を共用するように構成してもよい。具体的には、図１３に示す例では、図１２に示す構成において、インダクタＬＳＡ１２，ＬＳＡ２２に代えてインダクタＬＳＡ２を設け、ダイオードＤＳＡ１２，ＤＳＡ２２の各アノードはインダクタＬＳＡ２の一端に接続され、このインダクタＬＳＡ２の他端は第２出力端子ＴＯＵＴ２に接続される。
【０１２９】
図１３に示す例によれば、コンデンサＣＳＡ２１の放電経路ＤＲ１３は、コンデンサＣＳＡ２１〜整流用ダイオードＤ７１〜出力インダクタＬｏｕｔ〜第１出力端子ＴＯＵＴ１〜負荷Ｒ〜第２出力端子ＴＯＵＴ２〜インダクタＬＳＡ２〜ダイオードＤＳＡ２２〜コンデンサＣＳＡ２１の経路から形成され、また、コンデンサＣＳＡ１１の放電経路は、コンデンサＣＳＡ１１〜整流用ダイオードＤ７３〜出力インダクタＬｏｕｔ〜第１出力端子ＴＯＵＴ１〜負荷Ｒ〜第２出力端子ＴＯＵＴ２〜インダクタＬＳＡ２〜ダイオードＤＳＡ１２〜コンデンサＣＳＡ１１の経路から形成される。充電経路に関しては、上述の図１２に示す場合と同様である。
【０１３０】
＜第１１実施形態＞
次に、図１４を参照して、本願請求項１１に係る発明に対応する第１１実施形態を説明する。
本実施形態に係るスイッチング電源装置は、上述の第１０実施形態に係る図１２の構成におけるスナバ回路に代え、整流用ダイオードＤ７２のカソードに発生するサージを吸収するための第１スナバ回路として、コンデンサＣＳＡ１１、ダイオードＤＳＢ１２、インダクタＬＳＢ１２、ダイオードＤＳＡ１３を備えると共に、整流用ダイオードＤ７４のカソードに発生するサージを吸収するための第２スナバ回路として、コンデンサＣＳＡ２１、ダイオードＤＳＢ２２、インダクタＬＳＢ２２、ダイオードＤＳＡ２３を備える。
【０１３１】
ここで、上記スナバ回路の各構成を詳細に説明する。
第１スナバ回路を構成するコンデンサＣＳＡ１１の一方の電極は、整流用ダイオードＤ７４のカソード、即ち、上記全波整流回路の第２入力部に接続される。このコンデンサＣＳＡ１１の他方の電極と第１出力端子ＴＯＵＴ１との間にはダイオードＤＳＡ１３が接続される。具体的には、コンデンサＣＳＡ１１の他方の電極にはダイオードＤＳＡ１３のアノードが接続され、このダイオードＤＳＡ１３のカソードは第１出力端子ＴＯＵＴ１に接続される。このダイオードＤＳＡ１３はコンデンサＣＳＡ１１の充電経路をなす整流回路として機能する。
【０１３２】
また、コンデンサＣＳＡ１１の他方の電極と上記全波整流回路の第１入力部との間には、ダイオードＤＳＢ１２及びインダクタＬＳＢ１２からなる直列回路が接続される。即ち、コンデンサＣＳＡ１１の他方の電極には、ダイオードＤＳＢ１２のカソードが接続され、このダイオードＤＳＢ１２のアノードにはインダクタＬＳＢ１２の一端が接続され、このインダクタＬＳＢ１２の他端は上記全波整流回路の第１入力部に接続される。これらインダクタＬＳＢ１２及びダイオードＤＳＢ１２は、コンデンサＣＳＡ１１の放電経路をなす整流回路として機能する。
【０１３３】
一方の第２スナバ回路も同様に構成される。即ち、第２スナバ回路を構成するコンデンサＣＳＡ２１の一方の電極は、整流用ダイオードＤ７２のカソード、即ち、上記全波整流回路の第１入力部に接続される。このコンデンサＣＳＡ２１の他方の電極と第１出力端子ＴＯＵＴ１との間にはダイオードＤＳＡ２３が接続される。具体的には、コンデンサＣＳＡ２１の他方の電極にはダイオードＤＳＡ２３のアノードが接続され、このダイオードＤＳＡ２３のカソードは第１出力端子ＴＯＵＴ１に接続される。このダイオードＤＳＡ２３はコンデンサＣＳＡ２１の充電経路をなす整流回路として機能する。
【０１３４】
また、コンデンサＣＳＡ２１の他方の電極と上記全波整流回路の第２入力部との間には、ダイオードＤＳＢ２２及びインダクタＬＳＢ２２からなる直列回路が接続される。即ち、コンデンサＣＳＡ２１の他方の電極には、ダイオードＤＳＢ２２のカソードが接続され、このダイオードＤＳＢ２２のアノードにはインダクタＬＳＢ２２の一端が接続され、このインダクタＬＳＢ２２の他端は、上記全波整流回路の第２入力部に接続される。これらインダクタＬＳＢ２２及びダイオードＤＳＢ２２は、コンデンサＣＳＡ２１の放電経路をなす整流回路として機能する。
なお、絶縁トランスＴ７の１次側の構成については、前述の図１５に示す従来装置と同様であり、その説明を省略する。
【０１３５】
続いて、整流用ダイオードＤ７４を例として、この整流用ダイオードＤ７４のカソードに発生するサージの吸収動作を詳細に説明する。なお、電力変換動作については、上述の第１０実施形態と同様であるので、これを省略する。
まず、整流用ダイオードＤ７１，Ｄ７４が順方向にバイアスされた状態から逆方向にバイアスされた状態になると、前述のように、いわゆるリカバリ期間において寄生インダクタに蓄積されたエネルギーが瞬時的に放出され、サージが整流用ダイオードＤ７４のカソードに発生する。
【０１３６】
本実施形態では、サージによる電流は、図１４に点線で示す充電経路ＣＲ１４（コンデンサＣＳＡ２１〜ダイオードＤＳＡ２３〜第１出力端子ＴＯＵＴ１〜負荷Ｒ〜第２出力端子ＴＯＵＴ２〜整流用ダイオードＤ７４〜２次巻線Ｌ２〜コンデンサＣＳＡ２１）に沿って流れ、これによりコンデンサＣＳＡ２１が充電される。
【０１３７】
その後、１次側のスイッチング動作に伴って、絶縁トランスＴ７の２次巻線Ｌ２に誘起される電圧の向きが再び反転する過程で、整流用ダイオードＤ７４が順方向にバイアスされる。この場合、コンデンサＣＳＡ２１に蓄積された電荷は、図１４に一点鎖線で示す放電経路ＤＲ１４（コンデンサＣＳＡ２１〜整流用ダイオードＤ７１〜出力インダクタＬｏｕｔ〜第１出力端子ＴＯＵＴ１〜負荷Ｒ〜第２出力端子ＴＯＵＴ２〜整流用ダイオードＤ７４〜インダクタＬＳＢ２２〜ダイオードＤＳＢ２２〜コンデンサＣＳＡ２１）に沿って流れ、これによりコンデンサＣＳＡ２１が放電される。
【０１３８】
このように、本実施形態によれば、整流用ダイオードＤ７４のカソードに発生したサージによるエネルギーはコンデンサＣＳＡ２１に一旦蓄積された後、インダクタＬＳＢ２２を介して出力側に放電される。このときの放電電流の位相は、インダクタＬＳＢ２２により電圧の位相に対して遅延されるので、電圧と電流との積として表されるダイオードＤＳＢ２２における損失が抑制される。同様にして、整流用ダイオードＤ７２で発生するサージによるエネルギーは、コンデンサＣＳＡ１１に一旦蓄積された後、インダクタＬＳＢ１２を介して低損失で出力側に放電される。
【０１３９】
以上により、整流用ダイオードＤ７２，Ｄ７４のカソード側、即ち、全波整流回路の入力部に発生したサージが有効に吸収（抑制）され、そのエネルギーが出力側に放出される。従って、電源効率を低下させることなく、サージから整流用ダイオードを保護することが可能になる。
【０１４０】
以上、本発明の実施形態を詳述してきたが、具体的な構成は本実施形態に限られるものではなく、本発明の要旨を逸脱しない範囲の設計変更等も含まれる。
例えば、上述の第１ないし第３実施形態では、整流用ダイオードＤ１及びＤ２に対してそれぞれスナバ回路を設けたが、必要に応じて、何れか一方の整流用ダイオードにスナバ回路を設けるものとしてもよい。同様に、上述の第５および第６実施形態では、整流用ダイオードＤ４１及びＤ４２に対してそれぞれスナバ回路を設けたが、必要に応じて、何れか一方の整流用ダイオードにスナバ回路を設けるものとしてもよい。同様に、上述の第７、第１０、第１１実施形態では、整流用ダイオードＤ７２及びＤ７４に対してそれぞれスナバ回路を設けたが、必要に応じて、何れか一方の整流用ダイオードにスナバ回路を設けるものとしてもよい。
【０１４１】
また、上述の実施形態では、絶縁トランスの１次側のスイッチング回路としてハーフブリッジ型を採用したが、これに限定されることなく、フルブリッジ型など、任意の形式のスイッチング回路を採用することができる。絶縁トランスの２次側の整流回路についても、上述の実施形態に限定されることなく、サージを吸収するためのコンデンサの充電経路と放電経路を設けることが可能であることを限度として、任意の形式の回路を採用することができる。
また、上述の実施形態では、整流素子として整流ダイオードを採用したが、これに限定されることなく、例えば、サイリスタやパワートランジスタを採用することができる。
【図面の簡単な説明】
【０１４２】
【図１】本発明の第１実施形態に係るスイッチング電源装置の回路図である。
【図２】本発明の第２実施形態に係るスイッチング電源装置の回路図である。
【図３】本発明の第３実施形態に係るスイッチング電源装置の回路図である。
【図４】本発明の第４実施形態に係るスイッチング電源装置の回路図である。
【図５】本発明の第５実施形態に係るスイッチング電源装置の回路図である。
【図６】本発明の第６実施形態に係るスイッチング電源装置の回路図である。
【図７】本発明の第７実施形態に係るスイッチング電源装置の回路図である。
【図８】本発明の第８実施形態に係るスイッチング電源装置の回路図である。
【図９】本発明の第９実施形態に係るスイッチング電源装置の回路図である。
【図１０】本発明の第９実施形態に係るスイッチング電源装置の第１変形例の回路図である。
【図１１】本発明の第９実施形態に係るスイッチング電源装置の第２変形例の回路図である。
【図１２】本発明の第１０実施形態に係るスイッチング電源装置の回路図である。
【図１３】本発明の第１０実施形態に係るスイッチング電源装置の変形例の回路図である。
【図１４】本発明の第１１実施形態に係るスイッチング電源装置の回路図である。
【図１５】従来技術に係るスイッチング電源装置の回路図である。
【図１６】サージの波形図である。
【符号の説明】
【０１４３】
Ｔ１，Ｔ７；絶縁トランス、Ｄ１，Ｄ２，Ｄ４１，Ｄ４２，Ｄ７１，，Ｄ７２，Ｄ７３，Ｄ７４；整流用ダイオード、Ｌｏｕｔ；出力インダクタ、Ｃｏｕｔ；出力コンデンサ、、ＴＩＮ１，ＴＩＮ２；入力端子、ＴＯＵＴ１，ＴＯＵＴ２；出力端子、ＣＳ１１，ＣＳ２１、ＣＳ２１１，ＣＳ２２１、ＣＳ３１１，ＣＳ３２１，ＣＳ４１，ＣＳ５１１，ＣＳ５２１，ＣＳ６１１，ＣＳ６２１，ＣＳ７１１，ＣＳ７２１，ＣＳ８１，ＣＳ９１，ＣＳＡ１１，ＣＳＡ２１；コンデンサ、ＤＳ１２，ＤＳ２２，ＤＳ１３，ＤＳ２３、ＤＳ２１２，ＤＳ２２２，ＤＳ２１３，ＤＳ２２３，ＤＳ３１２，ＤＳ３２２，ＤＳ３１３，ＤＳ３２３，ＤＳ４２，ＤＳ４３，ＤＳ５１２，ＤＳ５２２，ＤＳ５１３，ＤＳ５２３，ＤＳ６１２，ＤＳ６２２，ＤＳ６１３，ＤＳ６２３，ＤＳ７１２，ＤＳ７２２，ＤＳ７１３，ＤＳ７２３，ＤＳ８２，ＤＳ８３，ＤＳ９１２，ＤＳ９２２，ＤＳ９３，ＤＳＡ１２，ＤＳＡ２２，ＤＳＡ１３，ＤＳＡ２３，ＤＳＢ１２，ＤＳＢ２２，ＤＳＢ１３，ＤＳＢ２３；ダイオード、ＬＳ１２，ＬＳ２２，ＬＳ２１２，ＬＳ２２２、ＬＳ３１２，ＬＳ３２２，ＬＳ４２，ＬＳ５１２，ＬＳ５２２，ＬＳ６１２，ＬＳ６２２，ＬＳ７１２，ＬＳ７２３，ＬＳ８２，ＬＳ９１２，ＬＳ９２２，ＬＳＡ１２，ＬＳＡ２２，ＬＳＡ２，ＬＳＢ１２，ＬＳＢ２２；インダクタ。
【図１】
2008043092.tif 000003
【図２】
2008043092.tif 000004
【図３】
2008043092.tif 000005
【図４】
2008043092.tif 000006
【図５】
2008043092.tif 000007
【図６】
2008043092.tif 000008
【図７】
2008043092.tif 000009
【図８】
2008043092.tif 000010
【図９】
2008043092.tif 000011
【図１０】
2008043092.tif 000012
【図１１】
2008043092.tif 000013
【図１２】
2008043092.tif 000014
【図１３】
2008043092.tif 000015
【図１４】
2008043092.tif 000016
【図１５】
2008043092.tif 000017
【図１６】
2008043092.tif 000018